(57)【特許請求の範囲】
【請求項１】
対象空間（１１０）の少なくとも一部を除染するためのシステム（２１０）において、
除染ガスを発生する手段（２６０）と、
前記対象空間（１１０）に前記除染ガスを注入する手段（２１５）と、
除染ガスを前記対象空間（１１０）から前記対象空間（１１０）に戻すように循環させる手段（２３４、２８６）と、
除染ガスを前記対象空間（１１０）から抜き取る手段（３１０）と、
を備え、
前記抜き取る手段（３１０）は、
前記対象空間（１１０）に注入された除染ガスを受け入れる手段（３１６）と、
前記受け入れる手段（３１６）によって受け入れられた除染ガスから少なくとも一種類の成分を回収する手段と、
を備え、
前記回収する手段は、
除染ガスから前記少なくとも一種類の成分を回収するのを促進するための、前記受け入れる手段（３１６）によって受け入れられた除染ガスと相互作用する媒体を導入する手段（３４６）と、
選択的に取り外し可能に設けられ、前記相互作用する媒体の所定量を保持する手段と、
を備え、
前記保持する手段は相互作用する媒体のある量を含む他の保持する手段と互換でき、
前記回収する手段（３３４）は、
前記保持する手段から前記相互作用する媒体の一部を抜き取る手段（３３８）と、
前記抜き取る手段（３３８）に対して前記保持する手段を選択的に分離する手段であって、前記保持する手段の選択的な取り外しを容易にするとともに、前記保持する手段と、前記相互作用する媒体のある量を含む他の保持する手段との互換を容易にする、分離する手段と、
をさらに備え、
当該システムは、受け入れた除染ガスの流れと前記相互作用する媒体との相互作用を促進するタンク手段（３３４）を備え、
前記タンク手段（３３４）は前記取外し可能な前記保持する手段としても働く、システム（２１０）。
【請求項２】
請求項１に記載のシステム（２１０）において、
前記タンク手段（３３４）はその内部に配置されたパッキング材料（３３６）をさらに含み、当該パッキング材料（３３６）は、前記保持する手段から抜き取られた相互作用する媒体を保持するための少なくとも１つの表面であって、前記相互作用する媒体と前記タンク手段（３３４）に受け入れられた除染ガスとの相互作用を促進するために最適な表面積を与える形状と大きさを持つ少なくとも１つの表面を有する、システム（２１０）。
【請求項３】
請求項２に記載のシステム（２１０）において、
前記パッキング材料（３３６）は複数のパッキング材料（３３６ａ）を備えており、当該複数のパッキング材料（３３６ａ）のそれぞれは、前記保持する手段から抜き取られた相互作用する媒体を保持する少なくとも１つの表面であって、前記相互作用する媒体と前記タンク手段（３３４）に受け入れられた除染ガスとの相互作用を促進するために最適な表面積を与える形状と大きさを持つ少なくとも１つの表面を有する、システム（２１０）。
【請求項４】
請求項４に記載のシステム（２１０）において、
前記除染ガスは二酸化塩素ガスであり、
前記相互作用する媒体は、前記二酸化塩素ガスを塩化物と亜塩素酸塩のうち少なくとも一方への変換を促進できる溶液である、システム（２１０）。
【請求項５】
ガスに曝されている対象空間（１１０）の少なくとも一部分からガスを抜き取るための装置（３１０）において、
前記対象空間（１１０）に注入されたガスを受け入れる手段（３１６）と、
前記受け入れる手段（３１６）によって受け入れられたガスから少なくとも一種類の成分を回収する手段と、
を備え、
前記回収する手段は、
前記受け入れる手段（３１６）によって受け入れられたガスと相互作用する媒体であって前記ガスから前記少なくとも一種類の成分を回収するのを促進する媒体を導入する手段（３４６）と、
選択的に取り外し可能に設けられ、前記相互作用する媒体の所定量を保持する手段と、
を備え、
前記保持する手段は、前記相互作用する媒体のある量を含む他の保持する手段と相互に交換でき、
前記回収する手段は、
前記保持する手段から前記相互作用する媒体の一部を抜き取る手段（３３８）と、
前記媒体の一部を抜き取る手段（３３８）に対して前記保持する手段を選択的に分離する手段であって、前記保持する手段の選択的な取り外しを容易にするとともに、前記保持する手段と前記相互作用する媒体のある量を含む他の保持する手段との互換を容易にする、前記分離する手段と、
をさらに備え、
当該装置（３１０）は、受け入れられたガスの流れと前記相互作用する媒体との相互作用を促進するタンク手段（３３４）を備え、
前記タンク手段（３３４）は前記選択的に取外し可能な前記保持する手段としても働く、装置（３１０）。
【請求項６】
請求項５に記載の装置（３１０）において、
前記タンク手段（３３４）は内部に配置されたパッキング材料（３３６）を含み、当該パッキング材料（３３６）は、前記保持する手段から抜き取られた前記相互作用する媒体を保持する少なくとも１つの表面であって、前記相互作用する媒体と前記タンク（３３４）に受け入れられたガスとの相互作用を促進するために最適な表面積を与える形状と大きさを持つ前記少なくとも１つの表面を有する、装置（３１０）。
【請求項７】
請求項６に記載の装置（３１０）において、
前記パッキング材料（３３６）は複数のパッキング材料（３３６ａ）を備えており、当該複数のパッキング材料（３３６ａ）のそれぞれは、前記保持する手段から抜き取られた前記相互作用する媒体を保持する少なくとも１つの表面であって、前記相互作用する媒体と前記タンク（３３４）に受け入れられたガスとの相互作用を促進するために最適な表面積を与える形状と大きさを持つ前記少なくとも１つの表面を有する、装置（３１０）。
【請求項８】
請求項７に記載の装置（３１０）において、
前記ガスは二酸化塩素であり、
前記相互作用する媒体は、二酸化塩素を塩化物と亜塩素酸塩のうち少なくとも一方に変換することを促進できる溶液である、装置（３１０）。
【発明の詳細な説明】
【０００１】
【発明の属する技術分野】
本発明は、例えば微生物アイソレータ(isolator;隔離器）のような閉鎖空間を殺菌および／または除染するための殺菌ガスを発生、注入、抜き取りおよび回収するための装置および方法、ならびにこの装置および方法に関連する要素に関する。
【０００２】
【従来の技術】
これまで、殺菌および／または除染された環境で種々の材料を取扱い、検査、分析および／または生産を容易にするための広範な閉鎖空間が開発されてきた。このような閉鎖空間には、（限定するものではないが、）微生物アイソレータ、殺菌移送溝、工業用空間、容器の空間、「少量移送用」微生物アイソレータ（例えば容量が約２５立方フィートのもの）、大型の可撓性ワークステーションを備えた微生物アイソレータ（例えば２個ないしそれ以上の可撓性で密着したワークステーションを備えた容量が約３５０立方フィートおよび約４００立方フィートのもの）、オートクレーブとのインタフェースとなる微生物アイソレータ、殺菌を必要とする工業用空間（ガラス室や工業用規模での無菌処理アイソレータなど）、および食品産業で使用される種々の機能（例えばスパイスや小麦粉の漂白、製品の表面除染など）を有する殺菌済閉鎖空間がある。
【０００３】
ヒトの前腕の形状をして、アイソレータの外表面から内部の閉鎖空間に入り込む長手グローブを備えた公知の「グローブ型」アイソレータは、例えばフランス、ベリジーのla Calhene社およびペンシルベニア州アイビーランドのLaminar Flow社が製造している。さらに、la Calhene社は、閉鎖空間の底面から延び出して閉鎖空間の中に入り込むヒトの胴体と腕の形状をし、ヘルメットも具備した気密の被覆部を有する「iso 2100シリーズ」のような半被覆型アイソレータを製造していることでも知られている。完全殺菌室を含む他の型の閉鎖空間も、「Clean Room」誌，第１０巻，第５号（１９９６年５月）にいくつか開示されている。
【０００４】
これまでのところ、アイソレータには、二つの型がある。すなわち、一つは「可撓性」の側面または壁面を備えた型で、もう一つは「剛性」の側面または壁面を備えた型である。そして、これまで、両者は、実質的に相互に変換可能であるかまたはその性能、機能および操作がほぼ同一と考えられており、その実際の使用またはこれを使用したいとする意思は、価格以外のものにはほとんど影響されなかった。
【０００５】
ところで、いままで、上述のような閉鎖空間の殺菌または除染を実際に行うため、そのような閉鎖空間において、殺菌・除染効果をもつことが知られている殺菌ガスを適切な混合比で提供すべく、多くの装置が提案されてきた。
【０００６】
【発明が解決しようとする課題】
最近では、多くの努力が以下のものに傾注されている：１）対象となる空間内での殺菌や除染を行うのを助けるにの適当と考えられるガスあるいは化合物の発生；２）そのようなガスや化合物を殺菌・除染空間に効率的に適用すること；および３）そのようなガス・化合物を、対象空間を殺菌ないし除染する目的で使用した後、環境に配慮して廃棄ないし回収すること。
【０００７】
所与の閉鎖空間に対して必ずしも恒久的に取り付ける必要がない、すなわち一つの閉鎖空間に対して取付け・取り外しできるポータブル・汎用の殺菌／除染装置を求める要望もしばしば認められる。
【０００８】
さらに、ポータブル・汎用の殺菌／除染装置を、異なった機会に、異なる閉鎖空間または異なる型の閉鎖空間に使用したいという要望もある。
【０００９】
上述の用途に用いる殺菌剤や除菌剤としては、多くの種類のガスや化合物が提案されてきたが、その多くは所望の効果が得られないか、殺菌／除染工程の後、環境に安全な廃棄ないし回収を容易に行うことができなかった。ここ何年かは、殺菌剤として、二酸化塩素ガスが広く知られていた。その使用については、米国特許第5,326,546 号、同第5,290,524 号、同第5,234,678 号、同第5,110,580 号、同第4,681,739 号、および同第4,504,442 号（いずれもRosenblatt) に記載されている。また、そのような能力をもつ二酸化塩素を生成させる方法も、上述の各特許に開示がある。しかし、二酸化塩素ガスを殺菌剤として、効果的な殺菌・除染能力を与え、また環境に安全な方法で容易に周囲の大気中に排気、ないし所定の活性な成分を効率的に回収でき、そして殺菌・除染という役割を担う上で最も効果を発揮するよう制御できる効率的な方法で、近い将来に使用しようという要望は以前からあった。
【００１０】
しかし、ここでの議論は、特別な期待がもたれていた殺菌／除染装置における種々の補助的な要素、ならびにその装置および／または要素を操作／制御する方法について簡単に振り返るにとどめる。
【００１１】
殺菌／除染装置は、しばしば、その要素として、殺菌ガスを発生させるための配置と使用済みのガスを回収および／または排気するための配置をも問題にしてきた。「回収」は、通常、殺菌工程で使用した殺菌ガスのうち少なくとも一つの活性成分を保持する作業を伴う。一方、「排気」は、通常、使用済み殺菌ガスあるいはその少なくとも一部を、周囲の大気中へ、環境に安全な仕様で放出する作業を伴う。
【００１２】
従来、殺菌／除菌装置で用いるガス回収システムは、回収する予定の導入ガスを、「スクラバー液」を収めた容器に導くものであった。この「液体に基づくシステム」においては、ガスは、十分な静水圧ヘッドを有する液体カラムの中を通されるが、こうするとガスの泡がその後すぐにカラムの表面に発生する。考えられるところでは、導入したガスは、スクラバー液との間で十分な相互作用を経、効果的に「こすり落され」るかまたは、液体カラムの表面にたどり着くまでの間に中和までされる。得られた気泡が液体カラムの上面で「破裂」すると、さらに上方で「こすり落された」ガスを排除するようになる。そして、直接大気中に排気されるかまたは、少なくとも一種類の活性の成分を活性するための「ポストスクラバー(post-scrubber)」集成装置に送られる。「ソーダ石灰」ポストスクラバー集成装置は、これまでにも、少なくとも後者の目的のためには使用されてきた。
【００１３】
しかし、このような液体に基づくシステムには、いくつかの欠点が指摘されてきた。第一に、上述のごとく大気中に放出されるかまたはポストスクラバー集成装置に送り込まれる前に、導入されるガスが十分に「こすり落される」よう、通常、容器の内部で、スクラバー液について比較的大型の静水圧ヘッドを維持する必要がある。静水圧ヘッドは重要なパラメータであるため、非常に大型の静水圧ヘッドが要求されたこともしばしばであった。これは、通常の場合、ガスを回収システムに送り込むのに関連して、ガスが液体カラムを通って上方に十分進むのにかなりの程度の圧力が必要とされるという欠点となる。十分に高い静水圧ヘッドが存在すると、この圧力（しばしば「後圧」と呼ばれる）は相当の大きさになり、バルブや他の部品が損傷するおそれが高いまま、「後圧」が実際に後方の殺菌／除染装置に送られるという結果になる。殺菌／除染装置における部品の寿命がそのような後圧の結果短縮したり、そのような高い後圧に耐え得るよう、システム内に非常に精密で高価なバルブ集成装置が必要となったりすることはしばしばみられた。そして、この後圧の結果、ガスをスクラバー液のカラムを通して効果的に上方に送り込むために、高価で嵩張ったポンプが要求される場合があった。
【００１４】
殺菌／除染装置（および他の装置でも）においては、殺菌／除染工程中に、所与のガスおよび／または混合物の相対濃度を測定することの重要性が広く認識されている。特に、閉鎖空間に送り込まれている間およびここから排出されている間、または閉鎖空間中に存在している間に、ガスの「殺菌剤」成分の相対濃度を測定し、これを許容範囲内に収めたいという要望があった。さらに、従来の測定装置の多くは、一つの特定の目的以外には利用できなかった。このため、そのような従来の装置の欠点を除去した汎用性のガス測定装置を求める声があった。
【００１５】
これまでの殺菌／除染装置においては、広範な制御バルブが用いられてきた。しかし、今日までに提案されたバルブの多くは、比較的複雑、高価でありながら気密性に信頼性がなかった。このため、殺菌の分野でもその他の分野でも、簡単、安価でかつ気密なバルブを求める要望があった。
【００１６】
特に、膨脹・収縮する殺菌／除染空間（とりわけ壁面が可撓性の場合）あるいは少なくとも流水洗浄式の閉鎖空間において、殺菌ガスをそのような空間に導入し、ついでその殺菌ガスを抜き出すための他の簡単かつ安価なバルブシステムおよび／またはバルブ操作スキームを求める要望もある。
【００１７】
殺菌／除染装置においては、また、装置の要素やサブ要素を効果的に制御することができるソフトウエアや他のプログラムロジックに要望があった。
【００１８】
この殺菌／除染装置においては、一定の時間、制御した条件の下で、殺菌ガスをアイソレータ（あるいは他の閉鎖空間）に導入できるようにしてほしいという特別な要望もあった。しかし、新しい殺菌／除染装置をオンラインに組み入れる（すなわち効果的に殺菌・除染プロセスを行えるようその操作パラメータを確定する）のに要求されるソフトウエアやプログラムロジックを定義し、設計し、プログラムを組む際、しばしば困難に見まわれた。そして、新しい制御機能や新しい操作環境に適応するよう既存の制御プログラム（あるいはプログラムロジック）を修正したり、殺菌／除染装置をオンラインに「有効に載せたい」（すなわち、殺菌・除染プロセスを「最悪の場合の」条件下で効果的に行うことができるシステムのデモンストレーションと確認が可能な方法で、「最悪の場合の」操作パラメータを確立すること）という要望もあった。
【００１９】
最後に、従来の殺菌／除染装置には、装置の始動時に適正濃度の殺菌ガスをシステムに正確に注入するため、循環空気／ガスを装置内に適切に「送給」することについて、今日まで、多くの問題が見つかっている。特に、これまでの装置は、多くが、「送給」を、殺菌あるいは除菌対象である閉鎖空間での直接測定によるガス濃度に基づいて行っていた。しかし、そのような直接測定は、殺菌ガスが閉鎖空間中で均一に分布した後でのみ正確になるだけである。こうして、貴重な時間が、しばしば、正確な測定が行われる状態になるのを待つことに浪費されていた。このため、そのような状態が達成される前に殺菌処理を継続すると不正確な測定となるおそれがあった。さらに、従来の殺菌／除染プロセスは、多くが、閉鎖空間内の圧力変化に基づいて、「送給」時のガス濃度を推定していたが、これは間接的なもので、したがって部分的には不正確な推定であり、単に閉鎖空間内で殺菌ガスが存在しているかどうかの推定となる場合もあった。最後に、殺菌や除染が行われる多くの空間は、排気することができず、手作業による殺菌・除染を必要としていたため、人力や時間を大量に消費するおそれがあり、また人為的エラーによりリスクを導入してしまうおそれもあった。
【００２０】
【課題を解決するための手段】
本発明の少なくとも一つの好ましい態様は、広く以下のシステムを企図する：すなわち、対象の少なくとも一部を除染するためのモジュール式システムであって、
除染ガスを発生するための集成装置と、
前記除染ガスを前記対象に注入するための集成装置と、
前記除染ガスを循環させるための集成装置と、
前記除染ガスを抜き取るためのガス抜取集成装置であって、
前記対象に注入された除染ガスを受け入れる装置と、
前記受け入れ装置によって受け入れられた除染ガスから少なくとも一種の成分を回収する装置であって、前記受け入れられた除染ガスと相互作用をする媒体を導入する装置と、少なくとも一種の所定成分の前記除染ガスからの回収を促進する装置、を含むガス抜取集成装置と、
前記相互作用媒体の所定量を維持するための選択的に取り外しできる集成装置を具備する除染システムである。
【００２１】
本発明のもう一つの好ましい態様は、広く以下のシステムを企図する：すなわち、ガスに曝された対象の少なくとも一部からガスを抜き取るための装置であって、
対象に注入された除染ガスを受け入れる装置と、
前記受け入れ装置によって受け入れられた除染ガスから少なくとも一種類の成分を回収する装置であって、前記受け入れられた除染ガスと相互作用をする媒体を導入する装置と、少なくとも一種類の所定成分の前記除染ガスからの回収を促進する装置、を含む装置と、
前記相互作用媒体の所定量を維持するための選択的に取り外しできる装置を具備するガス抜取集成装置である。
【００２２】
本発明のさらに好ましい態様は、広く以下のシステムを企図する：すなわち、
除染ガスを発生するための集成装置と、
前記除染ガスを前記対象に注入するための集成装置と、
前記除染ガスを循環させるための集成装置と、
前記除染ガスを抜き取るための集成装置と、
前記除染ガスの所定成分の濃度を測定するための濃度測定集成装置であって、所定強度の放射線を前記除染ガスの流れを通過するように放出する装置と、
前記放出された放射線を前記除染ガスの少なくとも一種類の選択した成分の吸収スペクトルに相当する波長に分解する装置と、
前記除染ガスの所定成分の濃度を測定するために、前記放出された放射線の少なくとも一部を受け入れ、前記除染ガスの流れによって吸収されなかった前記放射線の少なくとも一部を測定する装置と、
前記放出装置によって放出された放射線の強度を感知する装置と、
前記感知装置に応答して、前記放出装置に修正フィードバックを行う装置
を含むガス濃度測定集成装置を具備する除染システムである。
【００２３】
本発明のさらに好ましい態様は、流体の少なくとも一種類の成分の濃度を測定する集成装置であって、
所定強度の放射線を流体に放出する装置と、
前記放出された放射線を前記流体の少なくとも選択した成分の吸収スペクトルに相当する波長に分解する装置と、
前記流体の所定成分の濃度を測定するために、前記放出された放射線の少なくとも一部を受け入れ、前記流体によって吸収されなかった前記放射線の少なくとも一部を測定する装置と、
前記放出装置によって放出された放射線の強度を感知する装置と、
前記感知装置に応答して、前記放出装置に修正フィードバックを行う装置
を具備する液体濃度測定集成装置を企図する。
【００２４】
本発明のさらに好ましい態様は、対象の少なくとも一部を除染するためのシステムであって、
除染ガスを発生させるための集成装置と、
前記除染ガスを前記対象に注入するための集成装置と、
前記除染ガスを循環させるための集成装置と、
前記除染ガスを抜き取るための集成装置と、
少なくとも一本の導管と、
前記導管を通してガスの流れを選択的そして交互に導入しかつ制限するためのガス流れ許容／制限集成装置であって、
ハウジングと、
前記ハウジング内にスライド可能に配置される被駆動要素と、
前記被駆動要素をスライドにより変位させる装置と、
前記被駆動要素を選択的に前進させたり後退させたりする装置を含む変位集成装置と、
前記被駆動要素を前記ハウジング内で正確に位置設定するため、前記変位集成装置に位置合わせフィードバックを行う装置を備えるガス流れ許容／制限集成装置を具備する除染システムである。
【００２５】
本発明のさらに好ましい態様は、対象空間の少なくとも一部を除染するためのシステムを広く企図する。このシステムは、
除染ガスを供給するための集成装置と、
前記除染ガスを前記対象空間に選択的に注入するための集成装置と、
ガスを前記対象空間から永久に抜き取ることを選択的に許容するための集成装置と、
前記除染ガスを前記対象空間に戻して再循環させる事を選択的に開始するための集成装置を具備する除染システムである。
【００２６】
本発明のさらに好ましい態様は、対象空間の少なくとも一部を除染するための方法を広く企図する。この方法は、
除染ガスを準備する工程と、
前記除染ガスを前記対象空間に選択的に注入する工程と、
ガスを前記対象空間から永久に抜き取ることを選択的に許容する工程と、
前記除染ガスを前記対象空間に戻して再循環させることを選択的に開始する工程を含む方法である。
【００２７】
本発明のさらに好ましい態様は、対象空間の少なくとも一部を除染するためのシステムを広く企図する。このシステムは、
除染ガスを与えるための集成装置と、
前記除染ガスを前記対象空間に選択的に注入するための集成装置と、
前記除染ガスを前記対象空間から選択的に抜き取るための集成装置と、
前記除染ガスを与える工程と、除染ガスを対象空間に注入する工程と、除染ガスを対象空間から抜き取る工程のうち少なくとも二つを自動的に、かつ所定シーケンスおよび予め定めることができるシーケンスのいずれかで行うシーケンス集成装置を具備するシステムである。
【００２８】
本発明のさらに好ましい態様は、対象空間の少なくとも一部を除染するための方法を広く企図する。この方法は、
除染ガスを与える工程と、
前記除染ガスを前記対象空間に選択的に注入する工程と、
前記除染ガスを前記対象空間から選択的に抜き取る工程と、
前記除染ガスを供給する工程と、除染ガスを対象空間に注入する工程と、除染ガスを対象空間から抜き取る工程のうち少なくとも二つを自動的に、かつ所定シーケンスおよび予め定めることができるシーケンスのいずれかで行う工程を含む除染方法である。
【００２９】
本発明のさらに好ましい態様は、対象空間の少なくとも一部を除染するためのガスを発生させ、注入し、循環させ、そして抜き取るシステムを広く企図する。このシステムは、
除染ガスを前記対象空間に所定の流量で選択的に注入するための集成装置と、
前記除染ガスの対象空間への注入を、少なくとも前記対象空間への流量の関数である所定の時間だけ継続するための集成装置を具備する除染システムである。
【００３０】
本発明のさらに好ましい態様は、対象空間の少なくとも一部を除染するためのガスを発生させ、注入し、循環させ、そして抜き取る方法を広く企図する。この方法は、
除染ガスを前記対象空間に所定の流量で選択的に注入する工程と、
前記除染ガスの対象空間への注入を、少なくとも前記対象空間への流量の関数である所定の時間だけ継続する工程を含む除染ガスを発生させ注入し循環させ抜き取る方法である。
【００３１】
最後に、本発明のさらに好ましい態様は、対象空間の少なくとも一部を除染するためのモジュールシステムを広く企図する。このモジュールシステムは、
対象の少なくとも一部を除染するためのモジュールシステムであって、
前記除染のためのガスを対象に選択的に注入し、またその対象へ前記ガスを戻して選択的に再循環させる手段を備える少なくとも一つのモジュールセクション（Ａ）を具備し、かつ、
除染ガスを発生させる手段を備える少なくとも一つのモジュールセクション（Ｂ）および前記対象から除染ガスを選択的に抜き取る手段を備える少なくとも一つのモジュールセクション（Ｃ）の少なくとも一方を具備するモジュールシステムである。
【００３２】
【発明の実施の形態】
本発明及びその好ましい形態は、以下の詳細な説明と添付の図面を参照すればよりよく理解されるであろう。
【００３３】
〔概論〕
本発明を説明するため、本明細書を通して、特に断らない限り、「steriliz-」および／または「sterili-」 の語幹に基づく「殺菌剤(sterilant)」、「殺菌性(sterilizing)」その他の語は、殺菌(sterrilization)と必ずしも正確に同義ではないが、これに関連する概念を広範に包含する。このような概念は、必ずしも、除染、洗浄、汚染物質の排除、消毒及び他の実質的に均等な性質および範囲の概念に制限されるわけではない。
【００３４】
典型的には、図１に示したように、与えられた閉鎖空間３４内の空気またはガス、およびこの空間内に収められたいかなる対象をも殺菌するために、殺菌装置３０が提供される。このような閉鎖空間の例には、（限定する意味で挙げるのではないが、）、微生物アイソレータ、無菌室、殺菌や除染が要求される製品（香辛料、食品、薬剤、創傷用テープ等）を製造するための無菌空間、および外科手術室における無菌空間がある。このような閉鎖空間についての詳細な説明は、本明細書の冒頭に掲げた。
【００３５】
図１に示したように、殺菌装置３０の一般的な目的は、殺菌ガスを閉鎖空間３４に導入し、またここから抜き取ることである。この目的のために、特徴的な要素として、空気または殺菌ガスを殺菌装置３０から閉鎖空間３４に導入し、その後この空気または殺菌ガスを閉鎖空間３４から抜き取るべく、それぞれ適当な導管３８と４２が提供される。導管４２はまた、閉鎖空間に当初から存在する空気またはガスを収集するのにも用いられる。
【００３６】
図２は、図１に示した集成装置の幾分詳細な図である。特に、殺菌装置３０と閉鎖空間３４のいずれかまたは双方が自立型で持ち運び可能（ポータブル）である限り、そのような部品も、他の機会に互いに選択的に合体される可能性を模式的に示している。
【００３７】
そこで、殺菌装置３０は、殺菌剤あるいはガスを外部に送り出し、またその同じ物質のその内部に収めるために、それぞれ出口部３８ａと入口部４２ａを有するものと考えられる。同様に、閉鎖空間３４は、殺菌装置３０のような外部の供給源から空気または殺菌ガスを受け入れるための入口部３８ｂと、その殺菌済空気またはガスを外部供給源に戻すため（あるいは殺菌する前にその外部供給源に空気またはガスを供給するため）の出口部４２ｂを含むものと考えられる。したがって、殺菌装置３０と閉鎖空間３４が別個のものである限り、殺菌装置３０と閉鎖空間３４を互いに連結するため、接続要素４６，５０が提供される。
【００３８】
第１の接続要素４６は、殺菌装置３０の出口部３８ａと閉鎖空間３４の入口部３８ｂを連結するために存在する。さらに、第２の接続要素５０は、閉鎖空間３４の出口部４２ｂと殺菌装置３０の入口部４２ａを連結するために存在する。以下に述べるように、本発明は、少なくとも一つの好ましい態様においては、種々の閉鎖空間と選択的に接続できるポータブル式の殺菌または除染装置を企図している。
【００３９】
さて今度は、本発明による殺菌装置と一緒に用いることができる閉鎖空間の型について簡単に述べた後、従来のいくつかの閉鎖空間について簡単に説明する。
【００４０】
図３は、従来のアイソレータ１１０（例えば微生物アイソレータ）とその関連要素の模式図である。
【００４１】
典型的には、アイソレータ１１０は、入口部（総括的に符号１１４で示す）と出口部（総括的に符号１１８で示す）を具備し、これらの目的と機能は以下の説明により十分理解されるであろう。このような入口部と出口部は、アイソレータ１１０の内部を殺菌できるよう、殺菌装置のような別個の外部装置に接続される。
【００４２】
入口部１１４は、典型的には、空気をフィルタ１２６を通してアイソレータ１１０に向けるブロア（送風機）１１２を備える。圧力レギュレータ１３０はブロア１２２に接続され、適当な管１３４を介してアイソレータ１１０に接続される。また、出口部１１８においては、アイソレータ１１０から延び出て他のフィルタ１６２に至る出口管１３８も備えられる。フィルタ１２６と１４２は、「ＨＥＰＡ(High Efficiency Particulate Filter;高効率粒子フィルタ）」の仕様に従って製造される。
【００４３】
図４は、公知の変更を加えたアイソレータ１１０の模式図である。システムのキャビネット（詳細には示していない）からは、ブロア１２２を経てバルブ１５０に至る管１４６が延びる。図３に示した集成装置と同じように、圧力レギュレータ１３０がブロア１２２に接続される。バルブ１５０から延びる管１５４はまた、フィルタ（「ＨＥＰＡ」フィルタなど）１２６を通ってアイソレータ１１０に接続する。しかし、ガスによる殺菌装置と蓋付きの接続装置を介して接続をしている点で、図３の装置とは違いがある。蓋付きの接続装置１６０は殺菌ガスの入口となり、他方同じく蓋付きの接続装置１５８は殺菌ガスの出口となっている。
【００４４】
図３とのもう一つの違いは、フィルタ（「ＨＥＰＡ」フィルタなど）１４２を通って延びる出口管１３８があるにもかかわらず、出口部１１８に、もう一つの管１７４と接続するもう一つのバルブ１７０が見出されることである。このバルブ１７０は、殺菌装置に接続されたとき、上述のシステムキャビネットにつがなるように設計されている。
【００４５】
これとは対照的に、図５は、本発明に係るいくつかの形態で採用するもう一つのアイソレータ集成装置１１０を示す。この斜視図で示したのは、ブロア１２２、フィルタ１２６と１４２、および入口部１１４と出口部１１８である。
【００４６】
図６は、本発明の少なくとも一つの態様で使用されるガス発生・回収システム２１０の斜視図である。
【００４７】
「空気流入」部２１２は、以下に詳述する形で配置されるバルブ２１８（ここでは「制御バルブ」と呼ぶ）に接続する。
【００４８】
また微生物アイソレータのような外部装置の適当な管と接続できる入口２２２と出口２２６も設けるのが好ましい。好ましくは、制御バルブ２１８と「空気流入」部２１２から延び出る管は、出口２２６の近傍で接続部に至る。
【００４９】
本発明の少なくとも一つの好ましい形態においては、入口２２２は、好ましくは微生物アイソレータ（あるいは他の閉鎖空間でもよい）から空気またはガスを取り入れられるように設計される。このため、出口２２６も微生物アイソレータあるいは他の閉鎖空間を殺菌すべく、殺菌済の空気またはガスをこれらに戻すことができるよう配置するのが好ましい。
【００５０】
入口２２２に係る管と出口２２６に係る管とを橋渡しする枝管２３４は、湿度センサ２３８を含む。湿度センサ２３８の片側の枝管２３４には、適当なバルブ２４２が取り付けられる。
【００５１】
入口管（総括的に符号２４６で示す）に沿って、連続的に、圧力センサ２５０、温度センサ２５４および十字型フローセル(flow cell) ２５８を設けるのが好ましい。以下に詳述するように、十字型フローセル２５８は、光学的なガス測定システムを設置するのに適当な位置を提供する役割を果たす。
【００５２】
装置のガスジェネレータ（発生器）部２６０（図８を参照）においては、ガス供給源（図示せず）から始まる管２６６が設けられる。そして、この管２６６は、バルブ２７０とガスジェネレータ２７４につながる。ガスジェネレータ２７４からは他の管（二酸化塩素ガス２７８を移送するためのもの）も、もう一つのバルブ２８２、ついでシステムの適当なパイプに接続する。
【００５３】
装置の「入口」側と「出口」側を橋渡しして、循環空気またはガスを装置の「入口」側から装置の「出口」側に戻すもう一つの管２８６は、（「入口」側からみて、）制御バルブ２９０（外観と機能は前述の制御バルブ２１８に類似している）と加湿器２９８を備える。加湿器２９８は、循環ガスの湿度を適当な手段（例えばガスの水分含量を公知の噴霧器や蒸発器を介して増加させたり、乾燥空気を混合して減少させるなど）によって自在に制御できるものが好ましい。
【００５４】
十字管２８６との接合部から延びる「スクラバー枝管」（総括的に符号３０２で示す）も設けるのが好ましい。そしてこの接合部のすぐ後方には、上述の制御バルブ２１８に類似した外観と機能を有する制御バルブ３０６も設置される。管３０２はついで、回収集成装置（模式的に点線で囲み、符号３１０で示した）に接続するのが好ましい。この回収集成装置３１０については、以下に詳述する。
【００５５】
接合部３１４からは、図６においては時計方向に、入口３１６、スクラバー３３４、ポストスクラバー３３０、バルブ３２６、低濃度二酸化塩素センサ３２２、および他のバルブ３１８を順に設けるのが好ましい。ポストスクラバー３３０は、好ましくは、スクラバー３３４と適当な流体で連通させるのがよい。
【００５６】
スクラバー３３４の底部からは、好ましくは、管３３８をポンプ（あるいは適当な代替物）３４２に接続させる。このポンプ３４２は、管３４６を介して、スクラバー３３４の頂部に戻る。管３４６がスクラバー３３４の頂部に入る点のすく近くには、バルブ３５０と「充填」部３５４を設ける。
【００５７】
図７は、本発明の好ましい形態に従って、モジュール型、互換性の選択的合体セクションの概念を模式的に示したものである。符号２６０で示したのは、例えば殺菌ガスの発生の関連する要素を含む図８（この図の後）に示したシステムに対応するジェネレータシステムである。他方、セクション２１５は、「アダプタ集成装置」である。この装置は、例えば図８に示したセクションに対応するもので、ガスをアイソレータあるいは他の閉鎖空間から投与し、またこれらから抜き出し、さらに再循環ないし回収システム３１０に直接移送する要素を含む。また、回収システム３１０は、もう一つのモジュール型セクションとして具現され、例えば、図６に点線で示したセクション３１０に対応する。
【００５８】
このようにして、図７をも参照すると、種々の位置で使用できるモジュール型集成装置が企図されていることが理解されるであろう。この集成装置においては、すでに述べた三つのモジュール型要素（ジェネレータシステム２６０、アダプタ集成装置２１５および回収システム３１０）が、互いにあるいは他の適応可能なモジュール要素と選択的に合体できる単一の別個の要素となる。この目的のため、各モジュール要素は、他のモジュール要素に容易に合体できるようにするためのインタフェースあるいは接続要素を有するのが好ましい。したがって、ジェネレータシステム２６０は、アダプタ集成装置２１５のインタフェース２１５ａと容易に接続できるよう、インタフェースまたは接続要素２６０ａを備えるのがよい。同様に、アダプタ集成装置２１５も、回収システム３１０のインタフェースまたは接続要素３１０ａと容易に接続できるよう、インタフェースまたは接続要素２１５ｂを備えるのがよい。最後に、アダプタ集成装置２１５は、与えられた対象空間１３１０（すなわち、微生物アイソレータや他の閉鎖空間）のインタフェースまたは接続要素１３１０ａと容易に接続できるよう、インタフェースまたは接続要素２１５ｃを備えるのがよい。
【００５９】
非限定的実施例としての図６に戻ると、接続要素２６０ａと２１５ａ（図７参照）との接合は、例えばバルブ２８２と十字管２８６のインタフェースとの間の地点で生じる。さらに、接続要素２１５ｂと３１０ａ（図７参照）の接合は、例えばバルブ３０６と接合部３１４の間の地点で生じる。接続は、公知のパイプ連結（所望により接続の解除や再接続が容易にできるよう取り外し可能なものが好ましい）など適当な方法で行うことができる。
【００６０】
いずれにしても、図７に示したモジュール型の部品や接続要素の一般的な集成は、適当と考えられるあらゆる方法で成形・配置される広範な接続要素やモジュール性を企図したものであることは理解されるであろう。この概念についてのさらに総括的な説明は、図４７〜図５１を参照して後に述べる。
【００６１】
さて、図７に示した「モジュール」性の原則についての非限定的実施例から、図８は、図６に示したものと本質的に同じシステムであり、これに三つのシステムセクションを加えたものを示していることは理解されるであろう。したがって、図８においては、点線で囲んだセクション２１５は「アダプタ」セクションを表し、同じく点線で囲んだセクション２６０と３１０は、それぞれ「ガスジェネレータ」セクションと「ガス回収」セクション（これについてはすでに述べた）を表す。図７に関連して述べたように、図８に示した三つのセクション２１５，２６０および３１０は、本発明の好ましい形態によれば、他のセクションと所望により接続したり取り外したりできる。また、特定の対象空間（例えば微生物アイソレータや他の閉鎖空間）と使用すべく集合的に組み合わせた殺菌装置２１０を特別に製造するという目的の下に、より大きな殺菌装置２１０を製造できるよう、他のモジュール型セクションと所望により種々の組み合わせをつくるため、そのようなモジュール型セクションと互換性を有すると考えられる。
【００６２】
このため、図７と図８のいずれかまたは双方を参照すれば、例えば、所与のアダプタセクション２１５は、広範なガスジェネレータセクション２６０および／または回収システム３１０を収めることができるような形状および配置とするのが好ましいことが分る。例えば、本明細書では二酸化塩素ガスの発生システムを詳細に説明しているが、所望により、図示のアダプタセクション２１５や他の型のガスジェネレータと結合できることが分るであろう。同様に、本明細書では、回収システム３１０の特定の型についても説明しているが、所望により、図７と図８のいずれかまたは双方に示したアダプタセクション２１５や、対応するガス発生システム２６０に適した他の広範な型のガスジェネレータと結合できることも分るであろう。このようなアダプタシステム２１５、ガス発生システム２６０およびガス回収システム３１０の順番を交代するのは、アダプタシステム２１５を（入口２２２と出口２２６を介して）接続する特定の対象空間用の特別仕様において行われる。
【００６３】
図９は、図８とほぼ同じ図であるが、圧力と湿度を感知するもう一つの集成装置を収めるアダプタセクション２１５を示している。図９では特に、図６と図８に示した圧力センサ２５０が除かれ、センサからアダプタ２１５の入口部２２２と出口部２２６に延びる管を備えた差圧センサ２５０ａに替えられている。差圧センサは業界ではよく知られたものであるが、ここで改めて述べる。ここで企図する差圧センサ２５０ａは、入口部と出口部の間にかなりの圧力差があること、または例えば入口部２２２もしくは出口部２２６と対象空間における対応する接続部の間の結合が緩いことを検出する能力がある。
【００６４】
図９にはまた、これまでに図示し説明した湿度センサ２３８（元々光学センサ２５８（本図では２５８ａで示す）と一緒に使用する）の代わりに、光学測定システム２５８ｂも示してある。後に図１４および図１５との関連で述べるように、光学センサ２５８ａと２５８ｂはそれぞれ、殺菌装置２１０におけるガス循環の中で、殺菌ガスと水の濃度を測定できる形状にする。例えば、センサ２５８ａは、システム内を流通する殺菌剤の濃度を測定するのに適した形状にするのが好ましいのに対して、センサ２５８ｂは、システムの内部で水の濃度を測定するのに適した形状にするのが好ましい。
【００６５】
〔ガス回収システム〕
図１０は、本発明の少なくとも一つの態様で用いられるガス回収システム３１０を示す。
【００６６】
第一に、この図１０に符号３１０で示したような、本発明の少なくとも一形態に係るガス回収システムは、図６に示したシステムに組み入れられることに留意されたい。このため、ガス回収システム３１０の目的は、管３０２（図６参照）を介して、すでに微生物アイソレータを循環し終え、また環境に安全な方法で排気されるか、または、一またはそれ以上の成分（活性成分など）の回収を容易にし処理される必要のある混合ガスを受け入れることである。図６と図１０を参照すると、回収システム３１０に対する入口は、パイプセグメント３１６で表されている。
【００６７】
図１０に戻ると、入口３１６は、適切な形でスクラバー３３４に入り込むようになっているのが好ましい。この意味で、入口３１６は、スクラバー３３４の外壁を貫通し、そして本発明の少なくとも一つの好ましい形態によれば、下方にほぼ直角に曲がっている。したがって、排ガスの流れは、矢印で示したように、この一口３１６を通って直角に進み、スクラバー３３４の内部に適切に入り込むのが好ましい。
【００６８】
スクラバー３３４の内部は、入ってくる排ガスに、これと相互作用を行う量のスクラバー液を与える形状にされる。そのようなスクラバー液は、当業者にはよく知られているので、ここではこれ以上述べない。ただ、そのようなスクラバー液は、排ガス中に存在する殺菌ガスの回収プロセスにおいて、ガスが大気中に排出される前に、排ガスと相互作用を行えることを指摘すれば足りるであろう。
【００６９】
したがって、入ってくる排ガスに対して、前述のような適切な量のスクラバー液を与えるため、スクラバー３３４の内部には、環状の充填カラム３３６を配置するのが好ましい。そのような環状物の配置と機能は、以下に詳しく述べる。
【００７０】
充填カラム３３６に使用されるパッキング材料（充填材）は、必ずしも上述の環状の形状に制限される必要はない。一般に、一つ一つの充填材は、スクラバー液を溜める広い表面積を与えることができ、かつ自らを容易に積み重ねることができる限り、いかなる形状または大きさのものでも使用することができる。さらに、パッキング材料は、空気流に対して抵抗の少ないものが好ましい。したがって、ここでは一つの可能性として環状の要素を挙げたが、例えばわずかに湾曲したり波形の「ラビオリ（パスタの一種）」形状のものや、簡単なプリズム形状のもの（スクラバー液を内表面上に溜めることができる中空の中心部を有する三角形や直線で囲まれた形状など）を使用することも可能である。
【００７１】
スクラバー３３４の頂部には、ポストスクラバー（後方スクラバー）３３０につながる出口３３２を設けるのが好ましい。本発明の少なくとも一つの好ましい態様によれば、ポストスクラバー３３０は、ソーダ石灰を使う。このようなポストスクラバーもまた、当業者にはよく知られているので、ここではこれ以上述べない。ただ、そのようなポストスクラバーは、問題のガスが大気中に排出される前に、その排ガスから少なくとも一つの成分を回収することを目的とすることを指摘すれば足りるであろう。二酸化塩素ガスについていえば、例えば保持される成分は、塩化物や亜塩素酸塩（どちらも新しい殺菌ガスの生成に使用できる）のような活性成分である。
【００７２】
ポストスクラバー３３０は、排ガスや空気を通す一個またはそれ以上の排気部３３１（一つは図１０に示した）を有するのが好ましい。
【００７３】
本発明における少なくとも一つの好ましい態様によれば、スクラバー液は、双方向に連通可能な供給装置を介して導入するのが好ましい。すなわち、スクラバー３３４の底部からは、スクラバー液を収める適当な容器３４０につながる管３３８が延び、他方容器３４０からは、ポンプまたは他の適当な送給器あるいは推進用の集成装置３４２につながるもう一つの管３４１が延びているのが好ましい。好ましい形態においては、推進用集成装置３４２は、耐腐食性のポンプにする。
【００７４】
このため、本発明の好ましい形態においては、スクラバー液については、容器３４０から取り出したスクラバー液は、管３４６を介して、スクラバー３３４内部への入口となるスクラバー３３４の頂部へ移送する再循環システムを採用する。そして、一旦スクラバー３３４に導入した後は、スクラバー液は、以下に詳述する「パーコレーション」効果によって、スクラバーの内部を下降し、前述の管３３８を介してスクラバー３３４から排出される。こうして循環したスクラバー液は、容器３４０に還流した後は、オペレータが定めたあるいはスクラビング（こすり落し）作業に適切とみなされる程度において（すなわち多数のサイクルを通して）、続くスクラバー３３４の内部にスクラバー液を送るもう一つのスクラバー供給サイクルにおいて、再度使用される。
【００７５】
スクラバー液を管３４１と３４６を通して上方に送り込むため、ポンプの代わりに、圧縮空気源を使うことも考えられる。
【００７６】
このため、好ましい形態においては、再循環スクラバー液は、ポンプ３４２から（もう一つの管３４６を介して）スクラバー３３４の上部または頂部に送り込まれる。そして、管３４６は、充填カラム３３６の垂直方向上方の位置においてスクラバー３３４に入り込む。
【００７７】
すでに述べたように、こうしてスクラバー３３４内に導入されたスクラバー液は、「パーコレーション」効果（すなわち、図１３で述べる充填リング３３６ａとの緩衝）によって、スクラバー３３４の底部に進み、管３３８を介してスクラバー３３４から外に出て、容器３４０に集められる。
【００７８】
容器３４０の頂部には、図１０に示したように、浸漬チューブ３４０ａと３４０ｂが備えられる。この点において、導入チューブ３４０ａは、容器３４０の充填を容易にするためかなり短く、他方排出チューブ３４０ｂは、液体の容器３４０からの抜き出しを容易にするためにかなり長い。スクラバー３３４の頂部は、簡単に取り外せるシステムで固定するのが好ましい。
【００７９】
スクラバー液が（繰り返し使用することにより）その効力を失ったり、他の理由で違うスクラバー液と交換するときは、使用済みのスクラバー液を収めた容器３４０は、新しい容器に取り替える。安全な取扱いのため、古い容器の内容物を固定するには、新しい容器のキャップを使用するのが好ましい。このようにして、浸漬チューブ３４０ａと３４０ｂが差し入れられた古い容器で使用したキャップは、新しい容器に取付けられる（例えばねじ込まれる）。
【００８０】
ポストスクラバー（後方スクラバー）３３０は、排ガスを濾過し、捕らえた小滴がシステムから出ないようにするためのものである。二酸化塩素を使用する場合は、ポストスクラバーにおいてゆるく充填したソーダ石灰を用いると、微量のガスでも除去できることが分った。
【００８１】
図１１は回収用集成装置の変更例を示す。好ましい形態によれば、図１１に示した変更例は、所望の場合は、例えば、大気中に放出される二酸化塩素（あるいは他の物質）の量を監視するためのものである。
【００８２】
バルブ３１８と３２６を開放すると、適当なセンサ３２２で測定できるよう、適当な量の流出ガスが接合部３１４から流れ出る。そのようなセンサ３２２は、図１４および／または１５を参照して以下に説明する型の光学的なガス測定システムによって具現することができる。一つのシナリオにおいては、センサ３２２がきわめて低レベル（所定の境界値より低いという意味である）の二酸化塩素を検出するときは、直ちに、ガス回収装置３１０を通らずに、すべての流出ガスを通気口に迂回させる機能を有する制御集成装置（例えば図４６を参照）に送り込むことも考えられる。また、もし測定した二酸化塩素の濃度が許容できないほど高い場合には、二酸化塩素ガスの大気中への放出を防ぐことが考えられる。
【００８３】
センサ３２２を介して測定することを望まない場合には、バルブ３２６と３１８が遮断される。こうすればセンサ３２２は、極端に高い濃度の二酸化塩素に曝されるのを防止できるので、センサ３２２の有用性と、とりわけセンサ３２２を寿命を過ぎても使用したいという要求との妥協を図ることができる。
【００８４】
もう一つの例は、装置の作動開始時に、流出ガス中の二酸化塩素（あるいは他の物質）の当初濃度が所定の値を超えた場合に、センサ３２２が二酸化塩素の含量（あるいは他の所定物質の濃度）が許容閾値を下回ったことを示すまで、流出液を回収システム３１０に向けるというものである。
【００８５】
図１２は、本発明の好ましい形態によるもう一つの回収用集成装置３１０を示す。この集成装置３１０は、より「完全な形での」使い捨て集成装置の代表例である。すなわち、図１０の集成装置においては、スクラバー液用の交換可能な容器を用いたが、図１２の集成装置においては、必要なときは、スクラバータンク３３４を（スクラバー液および充填剤３３６とともに）、外のタンクと丸ごと交換する。
【００８６】
図１２に示すように、枝管３１７は、入口３１６から直角の「Ｔ字部」を経て垂直に下降し、好ましくはスクラバータンク３３４の軸と垂直な方向で中に入り込む。そして、キャップの付いた延長部３１９は、入口３１６からの枝分れを終える。再循環スクラバー液のために、再循環ポンプ３４２を設けるのが好ましい。さらに、入口管３３８は、スクラバータンク３３４の底部から出て液体を上方に運び、そこからポンプ３４２まで降ろす。導管３４６は、再循環ポンプ３４２から延び、タンク３３４の頂部にあるスプレーヘッド３５０に至る。
【００８７】
図１２に示した本発明の好ましい形態においては、スクラバー液を、充填カラム３３６の底部で高さＨまで一部貯蔵しておくことができる。好ましくは貯蔵した高さＨと入口３１７の口部との間には、一定の間隔が維持される。
【００８８】
これまで述べたように、カラム３３６内の充填リングは、それぞれが、スプレーヘッド３５０から放出されるスクラバー液で取り囲まれるのが好ましい。しかし、貯蔵したスクラバーの高さが入口３１７の口部にとどかない限り、スクラバータンク３３４の底部において、高さＨまでの限定的な貯蔵は維持することができる。
【００８９】
本発明の好ましい形態によれば、ポンプの入口管３３８は、スクラバー液を、延長管３３８ａを介してタンク３３４の底部から再循環させる。延長管３３８は、図示のように、タンク３３４の底部までのほぼ全区間にわたって延びているため、スクラバー液を抜き出してタンク３３４の頂部まで引き上げ、次いでポンプ３４２の中に注ぐことができる。
【００９０】
本発明の好ましい形態によれば、充填リング３３６ａ（図１３参照）は、ポリプロピレン製で、口径５／８インチの円筒形である。充填リング３３６ａの寸法がこのようなものであるため、タンク３３４の大きさは、頂部から底部（排ガス３３２の放出部を含む）まで垂直方向に約２２．６３インチ、そして口径を１４．００インチとする。もちろん、この寸法は、単に例として挙げたものであるが、本発明においては、二酸化塩素を混入されて殺菌装置およびこれに取り付けられた閉鎖空間中を循環するガスの洗浄、回収および／または排出を行う上で、特に効果的であることが分った。上に挙げた寸法以外の寸法（似通ってはいる）を用いることも考えられるが、スクラバー装置のここで挙げた特定の寸法（およびその近傍の寸法）は、これまで実現されていないような経済的な大きさであることは理解されるであろう。
【００９１】
図１２に参照符号を付して示した要素は、すでに述べたものであるかどうかにかかわらず、図１０で同じ参照符号を付した要素とほぼ同じである。
【００９２】
図１３は、本発明の一形態に係る充填カラム３３６の拡大図である。充填カラム３３６は、十分な数のパッキングリング（充填リング）３３６ａを備える（簡単なため、図には数個しか示していない）。各パッキングリング３３６ａは、容器３４０（図１０参照）からのスクラバー液で湿潤される。このようにして、排ガスの通路となるのは液体中だけではなく、スクラバー液がパッキングリング３３６ａの表面上に存在する限りは、スクラバー液とも接触する。パッキングリング３３６ａは、スクラバー液を保持してこれを排ガスの流れに曝すため、全部を合わせて最適な複合表面積を与える形状・大きさにするのが好ましい。
【００９３】
かくして、スクラバー液は、送給機３４２（図１０に示したもの）によって循環され、スクラバー３３４（図１０に示したもの）の頂部に流れつき、ついで充填リング３３６ａの上に噴霧される。噴霧は、スクラバー液をスクラバー３３４の内部に供給する適当な穴集成装置（所望の形でスクラバー３３４の周りに分布される複数の穴など）を使って行う。
【００９４】
ガスが凹凸のある表面材の上を通過できるようにし、同時にその凹凸のある表面材を相互作用媒体と接触させて必要な相互作用媒体の容量を最小限にするために、本発明の範囲内でここ（図１３に示した非制限的実施例のこと）で述べた充填材以外の集成装置を利用できることは理解しておくべきである。非限定的な実施例としてではあるが、そのような相互作用媒体は、これまでに説明したスクラバー液によって具現される。さらに、凹凸のある表面材は、スクラバー液のような相互作用媒体を自身の上に保持することができる単一のネットまたはメッシュのような別の型の充填集成装置によって具現される。この表面材はまた、これまでに述べたような複数の充填材タイプのものによっても具現できる。
【００９５】
〔光学的ガス測定システム〕
図１４は、本発明の好ましい形態において使用される汎用性光学的ガス測定システム４１０を示す。
【００９６】
これまでは簡単に述べてきたが、そのようなシステムのための適切な位置に係る非限定的な実施例としては、図６に示したような十字型フローセル２５８の近傍；図９で符号２５８ａと２５８ｂで示した位置；あるいは図６と図１１で符号３２２で示した位置がある。しかし、以下に述べるように、他の位置でも可能性はある。さらに、この光学的ガス測定システムは、殺菌の領域外においても適用が考えられる。
【００９７】
大口径のパイプ（図６に示したガス発生システム２１０で使用したようなもの）は、図１４においては符号４１４で示してある。一般に、光学的測定システムは、第一にパイプ４１４の口径にまたがるチューブ４１８を具備する。チューブ４１８は、ガスの流れる方向を、このチューブ４１８を通して横断する方向に定め、ガスが放射線集成装置の光路へ流れ込むことができるようにするスロット（溝）４２２を備える。
【００９８】
好ましくはパイプ４１４の片側において、チューブ４１８がインタフェースフィルタ４２６のところで終端する。フィルタ４２６と隣接して紫外線フォトレセプタ４３０が配置されるのが好ましい。フォトレセプタ４３０は、「プレアンプカード」４３４か又は他の適当な取付け板の上に取り付ける。さらに、インタフェースフィルタ４２６は、適当な支持要素４３８ａ，ｂを介して、このカードに取り付けることもできる。本発明の好ましい形態によれば、そのような支持要素は、カード４３４から延びる環状スリーブ４３８ａと、フィルタ４２６用のディスク状ホルダ４３８ｂから構成される。
【００９９】
物理的な保護と封止のために、フィルタ４２６とパイプ４１４の外側の面との間に、Ｏリング４４２等を配してもよい。本発明の好ましい態様によれば、上述のフォトレセプタ４３０は、フォトトランジスタにする。
【０１００】
パイプ４１４の同じ側には、カード４３４の近傍に、放射線集成装置４５０ａ〜４５０ｃとともに、フォトレセプタ４４６を設ける。フォトレセプタ４４６は、適当なフォトダイオード、フォトレジスタ、フォトトランジスタ等にすることができる。本発明の好ましい形態においては、フォトレセプタ４４６は、小型のフォトダイオードにする。
【０１０１】
放射線集成装置４５０ａ〜４５０ｃには、強度変換可能なランプ電源４５４（これはプリアンプカード４３４に取り付ける）を連通させる。適当な光ファイバケーブル４５０ｃが、放射線源４５０ａ（例えば適当なランプ）を、エミッタ４５０ｂに接続させる（例えば、光ファイバーケーブル４５０Ｃの適当な形状・位置の末端により具現する。）。装置のこの部分、すなわち図１４の右側に位置するパイプ４１４の外壁近傍に位置する部分には、外ねじ４６２が設けられる。外ねじと嵌め合わせられるのは、封止用のねじ付ディスク４６６であり、このディスク４６６のパイプ４１４側にはＯリング４７０が設けられる。
【０１０２】
前に簡単に述べたが、ガス発生システム（図６に示したようなもの）において適当と思われるいずれかの箇所に、ガス測定システム４１０（図１４または図１５に示したようなもの）を配置することが考えられる。
【０１０３】
放射線源４５０ａを電源４５４およびフォトレセプタ４３０と同じ側の近傍に取り付けると、ほぼすべての部品がただちにアクセス可能となり、第二の取付け部材（例えばもう一枚のカードないし板）を提供する必要はなくなる。
【０１０４】
放射線集成装置４５０ａ〜４５０ｃは、定量するガスの吸収スペクトルにとって適切な部品で構成する。紫外線測定の場合は、二酸化塩素濃度を測定するために、放射線源４５０ａとして、クォーツハロゲンランプを用いる（顕微鏡に用いるのと同じ）。紫外線放射が特に多く、焦点合わせ前の電球で利用可能なためである。
【０１０５】
本発明の好ましい形態においては、フィルタ４２６は、取り外し可能な形で取り付ける。こうすると、特定の目的のために測定装置全体を改造できるようにするため、フィルタを交換することが可能になる。例えば、二酸化塩素の測定においては、紫外線領域の光を通すフィルタ４２６を使用するのが望ましいが、他のガスの測定は、赤外線領域の光を通すフィルタが必要になる場合もある。本発明の一形態においては、湿度を測定する際（後に詳細な実施例を掲げる）にも図示した測定装置を使用することも可能である。この場合は、フィルタ４２６は、水の吸収スペクトルの範囲にある光を通すようにする。例えば、赤外線の波長は、水の濃度測定（すなわち湿度の測定）に使う光の波長に相当する。したがって、フィルタ４２６は、二酸化塩素の濃度を測定する場合には、波長が約３６０nmの近傍にある光を通すものにし、また水の濃度を測定する場合には約１８００nmの近傍にある光を通すものにする。
【０１０６】
通常、標準的な干渉フィルタは、フィルタ４２６として使用することができるが、実際には、回折格子のような適当な均等物も利用することができる。
【０１０７】
標準的な電圧調整器（レギュレータ）４５４は、放射線源４５０ａに安定化した電圧を供給する。放射線源４５０ａの実際の強度を監視するため、放射線源４５０ａに隣接して小型のフォトレセプタ４４６を設けることもできる。このようにして監視した放射線源の強度は、電圧調整器４５４に入力され、放射線源４５０ａの強度を一定に保つための修正フィードバックに使用される。このようなフィードバックはまた、システムの自己ゼロ調整（オペレータの介入なしにシステムをゼロにすること）にも使用することができる。
【０１０８】
従って、放射線源に安定化した電圧を入力するという前提の上に機能する従来の光学的測定装置とは対照的に、本発明の好ましい形態においては、放射線源４５０ａは、所定の操作時間の間は、ほぼ一定の強度を達成するようにするが、こうするといくつかの利点が生まれる。一つには、放射線の強度が一定であると、より正確な測定ができること。さらに、放射線強度にときどき起こる「サージ」（放射線源から放出される放射線の強度が変動すること）がなくなることにより、放射線源４５０の寿命が延びることである。
【０１０９】
他にも、放射線源４５０ａの耐用年数の開始時に、従来の装置で使用された電圧よりも低い電圧を使用することができるという利点がある。その結果、この低電圧が、放射線源の有用な放射スペクトルを、制限された波長範囲に集中させるのではなく、むしろ「引き伸ばす」ことは理解されるであろう。さらに、放射線源４５０ａの長期にわたる劣化がみられるときでも、所望の強度を維持するために必要なことは、放射線源に印加する電圧を、時間をかけて徐々に上げることだけである。
【０１１０】
電圧調整器４５４とフォトレセプタ４４６は、上述のような操作を行えるよう、適正に較正される。こうすると、透明な光路の存在下で、一定の「ゼロ値」が得られる。さらに、簡単なプログラムソフトウエアを使えば、光路の物理的な閉塞を補償することができる。
【０１１１】
板（カード）４３４は、電気遮蔽されたプリント基板が好ましい。フィルタ４２６は、測定するガスにとって適当なものにする（上述した）。また、フィルタ４２６は、Ｓ／Ｎ比を改善するため、信号を最大にするよう活性なスペクトルを十分に通す一方、不活性な波長は除去すべきである。フォトレセプタあるいはフォトトランジスタ４３０の使用についていえば、約１９０nmないし約２０００nmの幅広のスペクトルに跨がる多くのフォトダイオードとフォトトランジスタが市販されている。較正装置を備えて、例えば１０ボルトまでの出力を得られる低ノイズのプリアンプ（前置増幅器）４７１を用いるのが特に望まれる。光学部品を集光防止に適した温度に維持するため、種々の光学部品の近傍に、抵抗ヒータ４７３ａ，４７３ｂを設けるのが望まれる。
【０１１２】
図１４に示すように、エミッタ４５０ｂとスロット４２２の間には、水晶レンズのようなレンズ４５８が設けられる。このレンズ４５８は、本発明の好ましい態様によれば、エミッタ４５０ｂからの発散する光線を集めてスロット４２２を通るほぼ直線的な光路を形成するよう特別に設計したレンズでもよいし、あるいは光路にほとんど影響せず、エミッタをパイプ４１４から出てくる物質の進入から守るための通路「ブロック」として働く単なるブランクとしてもよい。エミッタにそのような物質が入り込むと、エミッタ４５０ｂを傷つけ、その効率を損なうからである。本発明の好ましい形態においては、図１４に示した装置４１０は、パイプ４１４中にある所定物質の高レベルの検出に用いると都合がよいため、チューブ４１８は、そんなに長くある必要はない。このため、レンズを、発散光線を集光できる符号４５８の位置に置く必要はないことになる（したがって、ちょうどいま述べた「ブランク」として使用以上のものを請け負うものではない）。しかし、十分に長いチューブの場合は、前者（すなわち、発散光を集めるレンズ）も好ましい。
【０１１３】
図１５は、システム４１０がパイプ（図示せず）の一方にだけ取り付けられる別の形態を示す。この場合、これまでシステム４１０について説明したほとんどすべての部品が、パイプの片側にだけ設けられる。同様の部品には、同じ参照符号を付してある。
【０１１４】
符号４５０ａと４５０ｂで示した放射線集成装置は、図１４の態様と同じような適当な放射線源４５０ａと適当なエミッタ４５０ｂ（電球など）を具備する。しかし、図１５の態様においては、これら二つの部品が互いに直に隣接しており、図１４の光ファイバケーブルのような集成装置を設ける必要はないことが分る。図１５に示した態様においては、チューブ４２２は、ガスの流れを通すため、穿孔されるかまたは適当に穴を設けている。これは、ここで述べた測定のため、十分な量のガスを放射線源４５０ａとエミッタ４５０ｂから放出された放射線の光路（以下に述べるミラー（鏡）４７４で反射された後に戻る光路を含む）中で補足するのを可能にするためである。
【０１１５】
図１４に示したと同じようにして、外ねじ４６２が設けられる。しかし、チューブ４２２は、図１４のものほど長くない（あるいはそれに釣合うほど長くない）。これは、むしろ適当な位置に配置されたミラー４７４あるいは適当な反射材で終端する。このため、パイプの反対側に光の伝送（透過）や受け入れのための要素を配置する代わりに、透過した光は、ミラー４７４を介して受け入れ要素４２６と４３０に戻されるよう、すべての要素をパイプの一方の側に集めながら、ガス濃度測定を行うことも考えられる。エミッタ４５０ｂは、放射線源４５０ａから放出されフィルタ４２６に向う集光放射線の正確な伝送を容易にする様なやり方でミラー４７４に照準を合わせる。あるいは、この目的を達成するために、ミラー４７４自体を適当な角度に合わせてもよい。
【０１１６】
図１５に示すように、図１４で説明したと同じようなレンズ４５８が設けられる。図１４においては、装置４１０の長さは、発散光線を集光できるレンズが位置４５８に必要であるかまたは「ブランク」で足りるかどうかを決定する。
【０１１７】
図１４と図１５に示した光学的なガス測定システム４１０の形態は、これまでガス発生システムの関連において説明してきたが、ガス発生システムあるいは純粋に物理的な環境とは異なる環境においても使用することができる。特に、光学的に活性な流体中の成分濃度を測定するための汎用性の測定システムとして用いることができる。
【０１１８】
したがって、例えば空気または他のガスの所定の成分の室内濃度を測定するために、装置４１０が壁を通って延びる環境において、図１５に示した集成装置を利用することが考えられる。図１４と図１５に示した集成装置は、液体（ガスの代わりに、パイプシステムを循環する流体など）中の成分を測定するのにも用いることができる。さらに、本発明で企図する測定システムは、動的な流体（すなわちガスまたは液体）だけでなく、静止した液体中における所定成分の濃度を測定することもできる。
【０１１９】
本発明に係る測定システムは、従来の測定システムには見られない独特の二面性を示す。特に、連続的な自己修正型フィードバック能力を有することにより、放射線源４５０ａが一定またはほぼ一定の強度で放射線を放射して、強度についてサージ（放射線源４５０ａの寿命を低下させる）が発生したり、測定の精度を害する強度不足が発生するのを回避することを保証する。さらに、自己修正型のフィードバック装置は、新しい操作を始める前に行う自己ゼロ調整機能（放射線源を所定の強度ゼロの値に合わせる）も有する。すなわち、システムの値をゼロにするのに何らかの入力を行う必要はない。これとは対照的に、従来の装置は、通常、所定の操作中に起こる放射線源強度の連続的な監視・フィードバックと、放射線源の強度低下を補償するため時々行う必要がある長期的な調整との間の区別をつけることはできない。
【０１２０】
これまでの説明から、本発明の好ましい形態に係るシステムは、放射線源に一定の強度を与え、自己ゼロ調整機能を有するため、オペレータは操作する必要がない（オペレータが定期的にゼロ合わせをしなければならない装置とは異なる）ことが分る。さらに、光学要素と測定要素に用いる本発明に係る固体状態技術により、使用する部品の数と大きさを減らすことができ、製造原価を減少させることができる。
【０１２１】
〔封止または軸が不要の制御装置〕
次に、本発明の一形態において用いられるバルブ装置の実施例を説明する。図１６ないし図３３で説明するバルブ装置は、とりわけバルブ２１８，２９０および３０３については、図６のガス発生システムに設置される。
【０１２２】
図１６は、バルブ本体の一般的な構成を示す。好ましい要素は、押し出し成形した本体６１０、サイドパネル６１４，６１８および、本体６１０に設けられる穴６２２，６２６である。穴６２２，６２６は、バルブが開いているときに流体を通過させるためのものである。
【０１２３】
図１７は、本発明の一形態に係る被駆動要素（driven element）である。大きなブロック材６２８の中に磁気電機子６３０と小型の永久磁石６３４が埋め込まれている。ブロック６２８は、図１６の本体６１０の中に嵌り込む。
【０１２４】
後に詳しく述べるように、磁気電機子６３０は、磁気コイルの交互の作用に応答して、ブロック６２８を開方向または閉方向（矢印で示す）に駆動する役割を果たす。
【０１２５】
図１８は、バルブ本体６１０と流体コネクタ６５４を備えた、本発明の一形態に係る完全な封止不要のバルブの外形を示す。コネクタ６５４は、殺菌装置の（例えば図６のバルブ２１８，２９０，３０６の位置で）チューブあるいはパイプとの間で、流体を連通させる形状・配置にされる。さらに、コネクタ６５４は、それぞれ、バルブ本体６１０（図１６参照）の穴６２２と６２６に通され、バルブ本体内の被駆動要素（図１７に示したようなもの）が「開」位置に保持されているとき、流体がバルブ本体６１０を通って流れるようにする。また、「開」コイル６３８と「閉」コイル６４２は、後の詳しく述べる方法で操作することができる。磁心部分６４６，６５０は、各コイル６３８，６４２から延びる。以下の説明から明らかになるが、コイル６３８，６４２の中心線の間隔は、バルブ本体６１０内の被駆動要素の移動距離を定める。
【０１２６】
図１９は、図１８に示した「閉」コイル６４２と磁心６４６の違う方向からみた図である。同じく図１８にある「開」コイル６３８とこれに組み合わされる磁心６４６も同じような形状・配置とされる。
【０１２７】
図２０，２１，２２，２３はそれぞれ、被駆動要素６２８を収めたバルブ本体６１０が「開」位置にあるときの平面図、同じく側面図、ならびに「開」位置にあるときの平面図、同じく側面図である。さらに、「開」状態のスイッチ６７０と「閉」状態のスイッチ６７４も示してある。
【０１２８】
本発明の好ましい形態によれば、本体６１０と被駆動要素６２８を含むバルブ装置は、「開」コイル６３８（図１８参照）が励磁されることにより、磁気電機子６３０（図１７参照）が被駆動要素６３８が図２０と２１における「開」位置にとどまり、付随する流体の流れをコネクタ６５４を通して許容するように制御する。同様に、磁気電機子６３０（図１７参照）は、「閉」コイル６４２（図１８参照）が励磁されることにより、被駆動要素６３８が図２２と図２３にあるように、「閉」位置にとどまり、付随する流体の流れをコネクタ６５４を通して制限するように制御する。
【０１２９】
図２０〜図２３に示すように、永久磁石６３４の存在を検知するスイッチ６７０，６７４が適当な位置に設けられる。そして、永久磁石６３４をスイッチ６７０または６７４と整列させると、それに対応して、ブロック６２８が「開」位置または「閉」位置に正確に保持される。永久磁石６３４のスイッチ６７０または６７４との整列が正確でないと、適当な「位置合わせフィードバック」装置が、「開」コイル６３８または「閉」コイル６４２（図１８参照）における電圧を増加させ、永久磁石６３４がスイッチ６７０または６７４と完全に整列するように、ブロック６２８を動かす。したがって、バルブは、明確に開放または閉止する。さらに、スイッチ６７０，６７４は、被駆動要素６２８が明確な「開」または「閉」位置にあるときには、駆動電圧をいずれかのコイルから取り除くよう、コイル６３８，６４２と直列に結ぶことができる。
【０１３０】
バルブ本体６１０は、「ＰＶＣ」（ポリ塩化ビニル）のような適当な強度と耐久性をもった材料からつくられる簡単な中空の角柱である。このため、その側部６１４，６１８（図１６参照）は、溶剤接着できる。さらに、スイッチ６７０，６７４は、リードスイッチ等の適当なスイッチ装置により具現できる。
【０１３１】
本発明に係るバルブ装置は、このような形状と内部配置であるため、大型の装置で使用されるパイプをも首尾よく収納することができる。例えば、コネクタ６５４（図１８参照）は、バルブ本体６１０に溶接する一方で、内径２インチのＰＶＣ製パイプをぴったりスライドして収められる形状にする。この目的のために、バルブ本体６１０は、押し出し形成した３／８インチのＰＶＣ製角柱の一部により具現できる。
【０１３２】
図２４〜図３３は、バルブを空気圧で作動させる形態を示す。
【０１３３】
図２４は、図１６に示したバルブ本体に似たバルブ本体の一般的な構成を示すが、圧縮空気（あるいは他の適当なガス）をバルブ本体６１０に入れたり抜いたりするための口（ポート）６７６と６７８も示す。図１６に示した装置と同様に、穴６２２と６２６は、バルブが開いているとき、流体を流れさせる。しかし，図１６のときとは異なり、これらの穴６２２，６２６は、本体６１０の軸方向に沿って、より中央に位置している。
【０１３４】
図２５は、磁気位置合わせフィードバック６３４，ブロック６２８および通し穴６５８を含む二重作動空気圧システムにおける被駆動要素を示す。そこで、図２４に示した態様においては、ブロック６２８は、どちら側からでも空気圧で駆動することができる。この場合、バルブ本体６１０は、バルブが「開」位置にある状態（すなわち、ブロック６２８が左側に向けて移動した状態）で、穴６５８が穴６２２，６２６と整列するよう、図１７の被駆動要素が使用される場合と比べて、長めになる。
【０１３５】
図２６は、図２４に示したバルブ本体に類似したバルブ本体６１０を示すが、このバルブ本体６１０にはコネクタ６５４（図１８で説明したものに類似している）が付いている。しかし、図２６に示すコネクタ６５４は、ブロック６２８（図２５参照）の通し穴６５８を設けやすいよう、バルブ本体６１０の軸方向においてほぼ中央に位置していることが分る。
【０１３６】
本発明の好ましい形態においては、「開」位置にある磁気位置センサ６７０と「閉」位置にある磁気位置センサ６７４は、それぞれ、図２５に示した小型永久磁石６３４の存在を感知するために設けられる。したがって、フィードバック制御のためには、センサ６７０と６７４は、図１６ないし図２３に示した形態と比べるとほぼ同じように働くが、この場合センサ６７０，６７４は、磁石６３４がスイッチ６７０または６７４と完全に整列するよう、空気圧装置を駆動させてブロック６２８を適切に作動させる。
【０１３７】
ブロック６２８（図２５参照）の作動は、適当な方法で行えばよい。本発明の一つの態様においては、ブロックの作動方向に応じて、空気（あるいは他の適当なガス）を口６７６と６７８のいずれかを通して供給し、またこれらの穴のいずれかから排出する。例えば、ブロック６２８を「開」位置から「閉」位置に動かすには、空気は、口６７６を通して導入し、同時に穴６７８から排出させる。逆に、ブロック６２８を「閉」位置から「開」位置に動かすには、空気は、口６７８を通して導入し、同時に口６７６から排出させる。空気圧装置（例えば上述の方法に従って空気を導入しかつ排出する装置）の例は、当業者にはよく知られているので、ここではこれ以上述べない。
【０１３８】
図２７，２８，２９および３０はそれぞれ、被駆動要素６２８を収めたバルブ本体６１０が「閉」位置にあるときの側面図、同じく平面図、ならびに「開」位置にあるときの側面図、同じく平面図である。さらに、空気口６７６と６７８も示してある。
【０１３９】
本発明の好ましい形態によれば、本体６１０と被駆動要素６２８を含むバルブ装置は、流体が付随してコネクタ６５４を流れるのを制限するため、空気を口６７６に通して送り込み、また口６７８を通して排気することによって、駆動要素６２８を図２７と図２８にあるような閉止位置に置く様に制御する。同様に、図２９と図３０にあるように、流体が付随してコネクタ６５４を通して流れるのを許容するためには、空気を口６７８に通して送り込み、また口６７６を通して排気することによって、駆動要素６２８を開放位置に置く様に制御する。
【０１４０】
図２６をみると、スイッチ６７０，６７４は、永久磁石６３４（図２５参照）の存在を検出する様な位置・形状とする。このため、磁石６３４をスイッチ６７０，６７４のいずれかと整列させると、ブロック６２８は、「開」位置または「閉」位置にそれぞれ正確に保持される。永久磁石６３４がスイッチ６７０または６７４と正確に整列していないときは、適当なフィードバック装置が、空気を口６７６と６７８に入れるかまたはこれから排出して、ブロック６２８を移動させ、永久磁石６３４をスイッチ６７０，６７４と正確に整列させる。したがって、バルブは明確に「開」または「閉」状態になる。
【０１４１】
図３１は、ハウジング本体６１０が円筒形で、この中に適当な形状に形づくられた被駆動要素６２８ａを収めた変形例を示す。本発明の一態様においては、要素６２８ａは、第１の円筒形主要部分６８２、円筒形接続部６８４および第２の円筒形主要部分６８６を具備する。主要部分６８２と６８６は、本体６１０ａ内にぴったりスライド・密着するような形状にし、他方接続部６８４は、空気または流体の横断方向の流れを最小限だけ遮断するような形状にする。この間接続部は、主要部分６８２，６８６（バルブの開閉ときにおける接続部６８４の位置についての詳細は図３２と図３３にある）との適切な接続は保っている。
【０１４２】
図示のように、磁気位置センサ６７０ａと６７４ａはそれぞれ、本体６１０ａの反対側端部に配置され、対応する磁気磁石要素６８８と６９０（図には示していない）の存在を検出できるような位置・形状とされる。永久磁石要素６８８と６９０は、すでに述べた磁石要素６３４と同じような働きをするが、この場合は特に、対応するセンサ６７０ａおよび６７０ｂと直列の位置で操作する。
【０１４３】
空気口６７６，６７８も、図示のように設けるのが好ましい。
【０１４４】
図３２は、図３１に示したバルブが「閉」位置にあるときの図であり、図３３は、同じ図３１に示したバルブが「開」位置にあるときの図である。
【０１４５】
図１６〜図３３に示した変形例を高圧で適用するためには、バルブ装置を次のように修正するとよい：１）ストックが適度な安全率を見込みながら操作時の圧力を包み込むくらい十分な強度を有すること；２）上述の溶媒接着を、溶接の剪断強度を高めるため、まだ新しいうちにピンで留める；３）「閉」位置において溶接封止するため、バルブ本体６１０をわずかにテーパ付けする（こうすると、被駆動要素６２８と合わさるテーパが封止性を改善するが、必ずしも必要なものではない）。
【０１４６】
これまでの記載から、本発明は、好ましい形態においては、バルブハウジング内で被駆動要素を正確に位置設定できる位置合わせフィードバック機能をもった簡単で信頼性の高い装置を企図していることが分るであろう。さらに、本発明による封止不要（seal-less)のバルブ装置は、簡単かつ安価な設計によって、気密なバルブ本体の中で流体の流れを制御することができる。封止を行う場合のスライド要素は流体漏洩のおそれをなくす一方で、この設計は、現在入手可能なバルブの費用で、信頼性の高いバルブを与える。上述のバルブはまた、バルブハウジングを貫通する外部からのステムないしピストンが要求されないため、「ステム（軸）が不要（ステムレス(stemless)」である。
【０１４７】
〔積み重ね可能な低圧シャトルバルブシステム〕
さて次は、本発明の一形態において用いられるシャトルバルブシステムの実施例に移る。
【０１４８】
シャトルバルブ（一般に符号７１０で示す）は、二つの位置の間で作動させることができる。一つの位置は以下「位置Ｉ」と呼ぶもので、図３４に示す。もう一つの位置は「位置II」と呼ぶもので、図３５に示す。
【０１４９】
シャトル７１４は好ましくは、ハウジング７１８の中にスライド可能に配置される。ハウジング７１８内に設けられるスライドチャンバ７２２の両端部には、ばね７２６と７３０が設置される。これらのばね７２６，７３０は、それぞれ、一方が圧縮ないし伸張されると、他方が伸張ないし圧縮される関係にある。
【０１５０】
バルブは、４個の口７３４，７３８，７４２および７４６を備える。口７３４と７３８は互いに整列して配置される。口７４２と７４６も互いに整列して配置される。シャトル７１４（図３６に詳細に示す）は、狭隘部７５８を介して互いに接続する第１の主要部７５０と第２の主要部７５４を具備する。すなわち、狭隘部７５８の径が二つの主要部７５０，７５４に比して小さいため、環状の隙間７６２が形成される（図３４と図３５参照）。図３４に示す「位置Ｉ」においては、シャトル７１４は、環状の隙間７６２が口７３４，７３８と整列するよう、図の左側に向けて最大限変位する。逆に、図３５に示す「位置IIにおいては、シャトル７１４は、環状の隙間７６２が口７４２，７４６と整列するよう、図の右側に向けて最大限変位する。
【０１５１】
狭隘部７５８は、大きなシリンダ（部分７５０と部分７５４で構成される）がハウジング７１８（あるいはチューブ）内にある間、そのシリンダの配向が口７３４，７３８，７４２、７４６の開度に影響しないように、このシリンダの周りを径方向に切り取って形成する。
【０１５２】
図３４と図３５に示したばねを２個備える装置の変更例として、ばねの一個を、圧力源への空気圧接続や限定動作アクチュエータへの機械的連結などのアクチュエータで代替することができる。
【０１５３】
さて次に、図３４〜図３６で説明したシャトル型バルブを用いたバルブ装置の実施例について述べる。この実施例に係る装置は、後に図３９と図４０について説明する装置に類似した入口管、出口管、ブロア（送風機）および結合管を備えた一般的な装置において、可撓性の壁を有するアイソレータ（あるいは他の閉鎖空間）を収縮（デフレート）および／または排気するために用いられる。
【０１５４】
図３７は、可撓性の壁を有するアイソレータ（あるいは他の閉鎖空間）が殺菌プロセスに先立って排気および／またはデフレートされた「デフレート」位置におけるシャトルを示す。この図は、実際には、二つのシャトル型バルブ本体７１４ａと７１４ｂを示している。この二つのバルブ本体７１４ａ，７１４ｂは、それぞれが口の対７３４ａと７３８ａ；７４２ａと７４６ａ；７３４ｂと７３８ｂ；および７４２ｂと７４６ｂを開閉するよう操作できる。また、各シャトルは、環状の隙間（図３４において符号７６２で示した隙間に類似するもの）をつくり出す。
【０１５５】
入口７７５（すなわち、行く行くはアイソレータあるいは他の閉鎖空間に移送されることになる空気／ガスを殺菌装置から受け入れるための口）と出口７８３（すなわち、空気／ガスをアイソレータあるいは他の閉鎖空間から殺菌装置へ戻すための口）は、ブロア７６６を介して相互に接続される。特に、入口７７５から通ずる口７７８は、口７３８ｂとつながり、ブロア７６６の入口と連通する。他方、ブロア７６６の出口は、シャトルバルブの口７３４ａと７４２ａにつながる。殺菌／除染装置から延びるプローブ７７４と７８２は、入口７７５と出口７８３に挿入することができる。
【０１５６】
図３７にアイソレータとともに示したシャトルバルブ装置の相互接続について言えば、口７４６ａは、アイソレータの入口管７８６につながり、他方アイソレータの出口管７９０は、シャトルバルブの口７３４ｂと７４２ｂにつながる。こうして、口７４６ａと管７８６を介してアイソレータに送られる空気／ガスは、は、その後、管７９０と口７３４ｂ，７４２ｂを介して戻ってくる。
【０１５７】
図３７に示したように、口７３８ａは、空気またはガスを外気に向かわせるためのもので、口７３８ｂは、循環させた空気またはガスをブロア７７６に向かわせるためのものである。
【０１５８】
シャトル７１４ａ，ｂが図３７に示した位置にあるときには、空気／ガスは、管７９０を介して、取り付けたアイソレータあるいは閉鎖空間から引き出されるが、管７８６を介しては送られないことは分るであろう。こうして、図３７に示した装置においては、アイソレータまたは閉鎖空間は排気され  壁が可撓性のアイソレータの場合は、デフレートされる。こうして空気／ガスは、アイソレータあるいは閉鎖空間から排除されるのみであり、補給されることはない。
【０１５９】
ドッキング用のプローブまたはチューブ７７４が送給管を殺菌装置をから入口スリーブ７７０に挿入するために使用されることを仮定すると、プローブ７７４は口７７８を塞ぐ。同時に、シャトル７１４ｂの環状の隙間が口７３４ｂと７３８ｂの間で流体を連通させるように位置し、またシャトル７１４ａの環状の隙間が口７３４ａと７３８ａの間で流体を流通させるように位置した状態で、ブロア７６６を作動させると、空気／ガスをアイソレータまたは閉鎖空間から（管７９０を介して）引き出し、これを外気に直接送り出すことは分るであろう。
【０１６０】
逆に、シャトル７１４ａ，ｂが図３８に示した位置にあるときには、空気／ガスは、管７８６を介して、アイソレータあるいは閉鎖空間に送り込まれ、その後管７９０を介して引き出されることは分るであろう。こうして、図３８に示した装置においては、空気／ガスは、例えば殺菌プロセスの間、アイソレータまたは閉鎖空間を通じて連続的に循環される。
【０１６１】
したがって、この点では、プローブ７７４は、口７７８を閉鎖しない。同時に、シャトル７１４ｂの環状の隙間が口７４２ｂと７４６ｂの間で流体を流通させるように位置し、またシャトル７１４ａの環状の隙間が口７４２ａと７４６ａの間で流体を連通させるように位置した状態で、ブロア７６６を作動させると、空気／ガスをアイソレータまたは閉鎖空間から（管７７０を介して）引き出し、これをアイソレータの入口管７８６に直接送り出すことは分るであろう。同時に、入口管７８６を介してアイソレータまたは閉鎖空間に送り込まれた空気／ガスは、アイソレータあるいは閉鎖空間にある空気／ガスを、出口管７９０を通して口７８２に押し出す。
【０１６２】
シャトル７１４ａ，７１４ｂを相互に接続して、これらを直列で動かし、図３７と３８に示した二つの制御位置を実効あるものにするため、二つのバルブ本体をそのバルブ本体の長手軸に沿って繋ぐ短い円筒形ロッド部のような適当な装置を用いる。
【０１６３】
図３７においては、本発明の好ましい形態により、シャトル７１４ａと７１４ｂを（図面中で）ばねの力に抗して左側に押したときに、プローブ７７４は定位置でロックされる配置・形状となっている。したがって、プローブ７７４をスリーブ７７０に所定の位置（例えば適当な配置・形状のストッパを付けることによって定める）まで単に挿入するだけで、このプローブ７７４がその所定の位置でロックされ、シャトル７１４ａと７１４ｂを図示のような配置・形状にできるよう、プローブ７７４の配置・形状を決める。プローブ７７４の固体部は、ガスあるいは流体がプローブ７７４から口７７８に移動するのを防止するため、口７７８を十分に覆い尽くす。
【０１６４】
他方、図３８に示すように、プローブ７７４をスリーブ７７０から一部後退させたときに、プローブがその一部挿入した状態に対応する第２の位置でロックするような配置・形状にしてもよい。この位置で、シャトル７１４ａと７１４ｂは、図示のような配置・形状となり、さらにプローブ７７４に設けた適当な配置・形状の「ノッチ（あるいは他の開口もしくは凹部）」が、プローブ７７４から口７７８へのガスまたは流体の移送を可能にする。
【０１６５】
プローブ７７４が図３７と図３８に示したそれぞれの位置で保持される上述の「定位置ロック」型に係る装置は、当業者にはよく知られているので、ここではこれ以上述べない。
【０１６６】
図３４ないし図３８で説明したシャトルバルブは、主としてガス発生システムとの関連において図示・説明したけれども、ガス発生システムとは異なる環境下で使用することもできる。
【０１６７】
本発明は、好ましい形態によれば、図３９と図４０に模式的に示した装置を企図する。図３９と図４０に示したように、入口７７５（殺菌剤発生器からのすでに循環させた空気／ガスを受け入れる）は、ここから分岐する枝管７８６と７９２を有する。管７９２は、ブロア７６６の入口と、口７３８ｂ，７７８（図３７と図３８参照）をつなぎ、他方ブロアの出口管７９４は、シャトルバルブ口７３４ａ，７４２ａから延びる（図３７と図３８参照）。図示のように、管７８６は、ついでフィルタとアイソレータ１１０に至る。したがって、本発明の好ましい態様によれば、ブロア７６６は、空気／ガスをアイソレータ１１０とこれに取り付けた殺菌剤ジェネレータ（図示せず）を通して連続的に循環させるため、入口７７５の近傍で空気／ガスを循環させる事ができるような形状・配置をしている。
【０１６８】
アイソレータ１１０から出て循環を終えた空気／ガスは、フィルタ１４２を通過した後、管７９０を通ってシャトルバルブの口７３４ｂと７４２ｂ（図３７と図３８参照）に入り込む。そして、この後は、「デフレート」モード（図３７に示す）のブロア７６６か、または「循環」モード（図３８に示す）の出口接続部７８２に向けられる。
【０１６９】
図３９と図４０に示す図は、ブロア７６６とその接続要素を強調するため、必要に応じて部分的に誇張して描いたことに留意されたい。さらに、次に挙げる要素は、図面を完結させるために単に模式的に示しただけである：管７９６ａ（図３７と図３８においては、口７４６ｂから出口７８３に向かう）と管７９６ｂ（図３７と図３８においては、口７３８ａから外気へ向かう）。
【０１７０】
空気／ガスをアイソレータ１１０に入れたり、またこれから引き出したりして循環する方法は、図３７と図３８で詳細に説明した。そこで、図３７と図３８およびこれについての説明は、基本的な構造（殺菌装置からの入口管と出口管、アイソレータからの入口管と出口管、ブロア、および相互接続管）が、本発明の好ましい態様に従って、可撓性の壁を持つアイソレータを殺菌プロセスに先立ってデフレートさせ、また殺菌プロセスの間、空気／ガスをアイソレータとの間で循環させるために用いる装置に係るものである。
【０１７１】
これまで図３４〜図４０について説明した装置は、特に「シングルブロア」型の装置、すなわち、殺菌ガスをアイソレータ１１０および取り付けた殺菌装置を通して循環させるのにアイソレータブロア７６６だけを使用する装置に適している。ところで、殺菌装置自体に、循環を補助するためブロアを設けることも考えられるが、この実施例は以下に図４１のところで説明する。この２個以上のブロアを用いる後者の例においては、図３４〜図４０で説明したバルブ装置以外の装置を用いることもできる。特に、図３４〜図４０で説明したシャトルバルブ装置を用いずに、単に既存のバルブ装置を用いることもできる。このようなバルブ装置については、まずアイソレータあるいは閉鎖空間の排気（可撓性壁のアイソレータの場合はデフレート）をし、ついで殺菌ガスをアイソレータ／閉鎖空間と殺菌装置を通して循環させるために、すでに殺菌装置内に設けているものがある。そこで、例えば、空気／ガスをアイソレータ／閉鎖空間から引き出し、これまでと同様な方法（例えば、図４１では、バルブ２８２，２１８および２９０を閉じ、バルブ３０６［そして場合によりバルブ１２２２も］を開ける）で排気するため、上述の排気／デフレートを、単純にシステムバルブを制御するだけで行うことも可能になる。同様に、空気／ガスの循環は、後で図４４に示すシステムバルブを制御することで行うことができる。
【０１７２】
〔ガス発生システムの組立と操作−概説〕
次に、本発明の一つの形態に係るガス発生システムとの関連において行われる種々の手順について説明する。この手順の説明を容易にするため、最初に、本発明の好ましい形態に係るガス発生システムにおけるいくつかの基本的な要素を単純化した模式図にした図４１ないし図４５について述べる。「ガス発生システム」の語は、「ガスジェネレータ（発生器）」あるいは「ガス発生・回収システム」と同義に考えてよい。
【０１７３】
図４１は、本発明の一形態において使用される殺菌／除染装置２１０を示したものであるが、ここで、アダプタセクション２１５、ガス発生システム２６０およびガス回収システム３１０について、図８と同じように模式的に示す。
【０１７４】
入口部２２２からみていくと、外観は図１４，１５に示したセンサとほぼ同じ二酸化塩素センサ１２１０と１２１４がある。センサ１２１０は、低レベルのＣｌＯ2 でも容易に測定できるよう、かなりの長さを有し（ここでは模式的にやや誇張して描いてある）、一方センサ１２１４はかなり小さく、高レベルのＣｌＯ2 でも容易に測定できるようにしている。
【０１７５】
この第２の二酸化塩素センサ１２１４の後方には、適当な温度・湿度センサ１２１８が設けられる。
【０１７６】
ついでガス発生システムの入口側と出口側の間には、図６で説明した管に似た管２８６が延び、図６の管と同じように、制御バルブ２９０と加熱器／加湿器２９８を備える。
【０１７７】
管２８６が交わる点の後方には、制御バルブ３０６を備えた管（図６に示した管３０２に類似したもの）が配置される。この管は、次に回収装置３１０に進む。図４１は、制御バルブ１２２２と回収装置３１０の全体も示してあるが、回収装置３１０は、図６に示したスクラバー装置に関連するいくつかの要素を含む。
【０１７８】
回収装置３１０からは、排気管１２２６が延び、適当な排気口１２３０で終端する。
【０１７９】
図４１は、ガス供給源１２３４も示す。ガス供給源１２３４は、例えば２％のＣｌ2 と９８％のＮ2 を収めたタンクを具備するが、これ以外の内容物を収納してもよいことは勿論である。このガス供給源１２３４は、圧力センサ１２３８（ガスが供給源１２３４から流れているかどうかを確認するためもの）を経て、制御バルブ２７０に接続し、ついで、適当な配置・形状をした二酸化塩素ガスジェネレータ２７４に至る。ガス発生器２７４は、制御バルブ２８２につながり、この制御バルブ２８２は次に出口部２２６につながる管に至る。しかし、管２８６と接合部を過ぎた後、出口部２２６に至る前に、まず制御バルブ２１８、そして出口部２２６につながる管に至るフィルタ２１４を備えた「空気流入」部２１２（図６で説明したものとほぼ同じもの）を設ける。
【０１８０】
図４１はまた、アダプタセクション２１５の入口部２２２に、ブロア１２４０を模式的に示す。このブロア１２４０は、アイソレータあるいは他の閉鎖空間に接続したブロアと連係して、殺菌ガスの循環を「増幅」するために設ける。したがって、アイソレータまたは閉鎖空間の内部をデフレートおよび／または排気する方法は、図３４ないし図４０で説明したバルブ装置の替わりに、上で述べたようにして行う。
【０１８１】
図４２ないし図４５は、図４１で説明したガス発生・回収システムにおいて実現される、いままでとは異なる操作モードを示す。図４２〜４５に示すいくつかのバルブは、特にバルブ２１８，２８２，２９０，３０６および１２２２が、用いる操作モードに応じて、それぞれ開閉した状態を示している。
【０１８２】
図４２〜図４５は、ざっと見たところでも、次のことがわかる。
・操作が、図４２に示す「循環モード」のときは、殺菌ガスが導入される前に、当初アイソレータ内に収められていた空気または他のガスが閉鎖ループ中を循環させ、またシステムの湿度を制御する。
・操作が、図４３に示す「ガス噴射モード」のときは、殺菌ガスは所定量だけが導入されるように測定を行いながら、殺菌ガスをアイソレータに大規模に噴射する。
・操作が、図４４に示す「暴露モード」のときは、アイソレータ１３１０との間で、所定時間、殺菌ガスを連続的に再循環させる。
・操作が、図４５に示す「空気噴出モード」のときは、新鮮な空気（あるいは他の適当なガス）をアイソレータ１３１０に導入して、殺菌ガスをすべて回収システム３１０を通して押し出し、アイソレータ１３１０から殺菌ガスを噴出・回収する。
【０１８３】
図４２は、「循環フロー」であり、図４１に示した多くの要素に、「空気流入」部２１２においてフィルタ２１４を追加して示す。（フィルタ２１４は、標準的な汚染防護フィルタで、流入してくる空気流からかなり大きな粒子を取り除く構造をしている。他方、より小さいな粒子の濾過は、例えばアイソレータ１３１０における「ＨＥＰＡ」フィルタのようなフィルタを介して行う）。「循環フロー」モードにおいては、ガスは、アイソレータ１３１０から取り除かれ、入口部２２２を介して移送され、最終的には交差管２８６（図４１参照）に至る。そしてその後は、出口部２２６を通してアイソレータ１３１０に戻る。図４２のモードを実効あらしめるため、適当なプログラムおよび／またはソフトウエアによって、制御バルブを制御する。
【０１８４】
図４３は、図４２とほぼ同じであるが、「ガス噴射フロー」モードを示す。このモードにおいては、ガスは、出口部２２６を介して、アイソレータ１３１０に導入される。過剰な圧力は、入口部２２２を介して外部に抜かれ、回収装置３１０に進む（図４１参照）。図４３のモードを実効あらしめるため、適当なプログラムおよび／またはソフトウエアによって、制御バルブを制御する。
【０１８５】
図４４は、図４２および図４３とほぼ同じであるが、「暴露フロー」モードを示す。このフロー（流れ）は、図４２に示したフローとほぼ同じである。図４４のモードを実効あらしめるため、適当なプログラムおよび／またはソフトウエアによって、制御バルブを制御し、また所定の時間これを維持する。
【０１８６】
図４５は、図４２〜図４４とほぼ同じであるが、「空気噴出フロー」モードを示す。このフロー（流れ）は、図４３に示した「ガス噴射フロー」とほぼ同じであるが、ガスは入口部２２２から回収装置３１０（図４１参照）に進む。しかし、「ガス噴射フロー」とは異なり、空気は、「空気流入」部２１２を経て出口部２２６につながる管に入り込む。図４５のモードを実効あらしめるため、適当なプログラムおよび／またはソフトウエアによって、制御バルブを制御する。
【０１８７】
図４１〜図４５に示したバルブ１２２２は、「スクラバーバイパスバルブ」である。この「スクラバーバイパスバルブ」が閉じているときは、ガスは、（もしバルブ３０６を過ぎた地点にあるならば、）直接スクラバーに進む。（もう一つの例として、もし少なくとも一種類の活性成分が十分な量回収し終えているならば、ガスを排気口１２３０を経てシステムの外に出すよう、「スクラバーバイパスバルブ」１２２２は開く。）
【０１８８】
本発明の好ましい形態によれば、図４２〜４５に示した種々の操作モードを、特に適当なバルブを制御を通じて、適当な方法で実現できることは分るであろう。したがって、本発明の一態様においては、適当な時間にあるいは少なくともオペレータの動作（例えばボタンを押すなど）に応答して各バルブ２１８，２８２，２９０，３０６および１２２２を開閉するため、自動装置が提供される。一つの操作モードから他のモードへの移行をできる限り自動的に行うこともできる。例えば、図４３に示した「ガス噴射フロー」と図４４に示した「暴露フロー」の間の移行は、データをＣｌＯ2 センサ１２１０，１２１４のいずれかまたは双方から、受け入れ可能な閾値が得られると、直ちにスクラバーバルブ３０６を閉じて循環バルブ２９０を開くよう処理を進めることができる中央処理装置に自動的にデータを送ることによって達成できる。
【０１８９】
本発明に係るガス発生システムの他の要素は、最大限自動装置に組み入れることができる。例えば、図４１〜図４５に示した「湿度制御ブロック」２９８を自動的に湿度を制御する構成にする。これは、当業者には周知の適当なフィードバックを用いることにょって達成される。
【０１９０】
図４６は、本発明の好ましい形態に係る一般的な制御装置１５１０を模式的に示す。
【０１９１】
制御装置１５１０は、圧力センサ１５６０（アイソレータ１３１０に取り付けられてアイソレータの中の圧力を測定する）、二酸化塩素センサ１２１０，１２１４および温度／湿度センサ１２１８から入力を受け入れる中央処理装置１５２０を備える。次に、制御装置１５１０は、バルブ制御装置１５３０と、温度・湿度制御装置１５４０およびシステムブロア１５５０を含む。特に、バルブ制御装置１５３０は、バルブ２１８，２７０，２８２，１２２２，３０６および２９０のどれかまたはすべてを選択して作動させる。また、温度・湿度制御装置１５４０は、熱／湿度ブロック２９８を介してシステムの温度（熱）と湿度を制御する。そして、ブロア制御１５５０は、システムブロア装置（符号１２４０で示す）の一個またはそれ以上の要素を制御する。
【０１９２】
次に、様々な目的を達成するために、本発明に係るガス発生システムにおける種々の要素を操作するいくつかの方法について述べる。
【０１９３】
まず、本発明に係るガス発生システムの操作方法（スキーム；流れ）を以下に説明する。
【０１９４】
第一に、装置は、殺菌あるいは除染を企図する閉鎖空間から別個独立であることを仮定する。
【０１９５】
閉鎖空間は、入口接続部を一個と、出口接続部を一個有することになる。
【０１９６】
本発明の好ましい形態によれば、閉鎖空間の入口部と出口部は、殺菌装置の入口部および出口部と同様、誰でも絶対に間違えることのないような接続形式とする。実際には、「間違い防止」とされる接続形式のものは、どれでも上述の目的のために使用できる。例えば、本発明の一形態においては、雄部と雌部が殺菌装置とアイソレータもしくは閉鎖空間の間で分け放たれる雄雌の接続形式を用いることができる。言い換えると、殺菌装置の入口部と出口部は、雄接続部を一つと雌接続部を一つ（必ずしもこの順である必要はない）備えるが、アイソレータあるいは閉鎖空間の入口部と出口部は、殺菌装置の雌部と合う雄部、および殺菌装置の雄部と合う雌部（必ずしもこの順である必要はない）を備える。したがって、殺菌装置あるいはアイソレータ／閉鎖空間のいずれかの適当な入口部または出口部で雄と雌を正しく接続すれば、接続部材をまず設置した後、殺菌装置の出口部をアイソレータ／閉鎖空間の入口部に常に正しく接続し、またアイソレータ／閉鎖空間の出口部を殺菌装置の入口部に常に正しく接続することができる。
【０１９７】
殺菌装置が対象とする閉鎖空間と結び付いて行う次の操作は、一人または複数のオペレータが望む方法・速度で進めることができる。しかし、もし殺菌の操作を望むならば、他の開始操作をまず行う必要があろう。しかし、そのような操作を自動的に逐次行うか、またはオペレータがボタンを押すなど、個別の操作をマニュアルで開始することが考えられる。どちらの方法でもよい。
【０１９８】
したがって、一旦殺菌装置を閉鎖空間に接続したら、少なくとも第１の操作、すなわち「循環」フローモードを行う。本発明の好ましい態様に係るアイソレータと殺菌装置の間での循環を制御する方法は、後の別のセクションで説明する。
【０１９９】
「循環フロー」モードを行うには、図４２に示した構造を仮定して、次の基準が満たされねばならない。
−スクラバーバルブ３０６が閉じる：
−循環バルブ２９０が開く；
−ガスバルブ２８２（および好ましくは図４１に示したガス送給バルブ２７０も）が閉じる（このときガスジェネレータ２７４が遮断されているのが好ましい）；および
−制御バルブ２１８が閉じる。
【０２００】
「循環フロー」モードの最初の工程では、ブロア１２４０を作動させ、少なくとも空気循環は行う。
【０２０１】
「可撓性壁」型アイソレータの場合は、アイソレータ１３１０をデフレートして所定量の殺菌ガスを噴出できるようにするため、バルブ２９０（「循環」バルブ）を閉じ、バルブ３０６（「スクラバー」バルブ）を開ける方が望ましい。
【０２０２】
中央処理装置１５２０（図４６参照）に格納されているパラメータによって決定される通りに、アイソレータを適切にデフレートおよび／または排気したら、バルブ２１８と３０６は閉じ、他方バルブ２９０は開く。こうすると「循環フロー」モードが実効あるものになる。
【０２０３】
「剛性壁」型アイソレータの場合は、異なる作動を行う。好ましい形態は、以下の「フローベースの作動アルゴリズム」セクションで述べる。
【０２０４】
この段階では、循環は、循環空気中の湿度を調整するため、望むならば、殺菌ガスの導入なしでも続けることができる。湿度センサ１２１８で感知され、湿度制御ブロック２９８で制御するところに従って、湿度が所定のレベルに達するまで、所定回数のフローサイクルを行うことも考えられる。この目的のためには、適当なフィードバック回路を用いることができる。そして、その所望レベルの湿度になったら、オペレータに視覚的あるいは聴覚的な信号を与え、閉鎖空間またはアイソレータ１３１０で実際に操作が行われていること（このときはアイソレータ１３１０内では所望の湿度になっている）を確認する。
【０２０５】
本発明の一形態においては、システム内の空気が所定の回数循環し、システムに漏洩がないこと（あるいは予めプログラムしておいた所定の安全閾値を超える漏洩がないこと）を確認したら、「循環フロー」モードから「ガス噴射フロー」モードへ自動的に移行させる。また、その代わりに、ある段階に達したら、次の段階を開始するため、オペレータにボタンを押すよう促したり、あるいは他の機会的もしくは電気的な刺激を与えるべく、視覚的または聴覚的信号をオペレータに与えることもできる。
【０２０６】
そこで、図４３においては、「ガス噴射フロー」への移行が、自動的にあるいはオペレータの手動による介入により行われる。この段階が開始したら、すぐに循環バルブ２９０を閉じる、一方、ガスバルブ２８２は開ける。そして、スクラバーバルブ３０６は、アイソレータあるいはシステムの圧力を維持するため、必要に応じて開ける。
【０２０７】
次いでガスジェネレータ２７４を公知の方法で作動（バルブ２７０の開放を含む）させ、入口２２６を介してアイソレータ１３１０に、二酸化塩素などの殺菌ガスを導入する。アイソレータ１３１０から接続部２２２を経て殺菌ガス（空気と混合したもの）が出てきたら、直ちに、センサ１２１０と１２１４のどちらかまたは両方を使って二酸化塩素の濃度を測定する。フィードバック制御を介して、センサ１２１０，１２１４が測定したシステム内での二酸化塩素の濃度が所定値になったら、次のモード（すなわち「暴露フロー」モード）へ移行するため、ただちに信号が自動的に送られる。
【０２０８】
「ガス噴射フロー」モードから「暴露フロー」モードへの移行の際は、スクラバーバルブ３０６が閉じ、また循環バルブ２９０が開き、ガスバルブ２８２は閉じる。
【０２０９】
「暴露フロー」モードの間は、操作が所望によりアイソレータ１３１０の中で行われているときは、（二酸化塩素センサ１２１０および／または１２１４を介して）システム内での殺菌ガスの循環濃度を、温度および湿度とともに、継続的に監視する。もし、これらのパラメータが所定範囲（中央制御システムに格納しておく）内から外れたときは、操作を停止するかまたはパラメータを調整させるため、視覚的および／または聴覚的信号がオペレータに与えられる。あるいは、それらのパラメータを、中央制御システムによって制御される適当なフィードバックシステムを介して自動的に調整してもよい。
【０２１０】
アイソレータ１３１０内での所望の操作が完了し、少なくとも一時的に殺菌装置とアイソレータ１３１０の操作を停止したい場合には、図４５に示した「空気噴出」モードへ移行させる。この移行は、オペレータがいつ移行を行うべきかを注意しているのでマニュアルで行う。（しかし、所定の時間が経過したところで自動的に移行させることもできる。この場合は、オペレータの注意を引きつけるため、視覚的／聴覚的信号を伴う。）
【０２１１】
「空気噴出フロー」への移行時には、循環バルブ２９０を閉じて制御バルブ２１８を開け、またスクラバーバルブ３０６も開ける。この時点では、スクラバーバイパスバルブ１２２２は、出ていくガスがすべて回収システム３１０に進むように閉じる。
【０２１２】
「空気噴出フロー」モードの制御は、回収システム３１０のセクションで述べた方法を含むいかなる方法によっても行うことができる。そのセクションで説明したように、スクラバー３３４をまさに通過し外気に放出されるところのガスを監視する二酸化塩素センサがもう一つ設けられる。バルブ１２２２を介して通気口１２３０から排気されるガス中の二酸化塩素濃度を測定するためである。この型の制御はまた、センサ１２１０と１２１４を使っても行うことができる。
【０２１３】
本発明の好ましい形態に係るシステムの大きな利点は、ガス（あるいは流体）濃度をフィードバック監視できる点にある。特に、対象空間との間でガスを継続的に再循環させながら、ガス濃度を継続的に監視し、必要ならばガス濃度の修正を行うこともできる。したがって、もしシステムに漏洩がある場合は、再循環のない公知のシステムにおけるより、ずっと迅速かつ高信頼性の下に修正する。
【０２１４】
〔ガス発生・回収システムを対象空間に適用するための集成装置〕
さて、本発明の好ましい形態によれば、殺菌装置は、アイソレータや他の閉鎖空間などの広範な対象空間と容易に一体化できることは分るであろう。
【０２１５】
アイソレータには二つの接続部、すなわちアイソレータへの入口とアイソレータからの出口を設けるだけでよい。そのような接続部は、例えば、図４６に符号１４０５ａと１４０５ｂで示されている。
【０２１６】
図４７は、本発明の好ましい形態に係るモジュール型の互換性・汎用性セクションを示す。ジェネレータシステム１７１０は、例えば、図８と図４１において点線で囲ったセクション２６０（すなわち、殺菌ガスの発生に係る要素を含むセクション）に対応する。他方、セクション１７２０は「アダプタ集成装置」とみなすことができ、このセクションは、例えば図８と図４１において点線で囲ったセクション２１５（すなわち、アイソレータまたは他の閉鎖空間からガスを投与し、また個々から取り出して、再循環ないし回収装置に送る要素を含むセクション）に対応する。さらに、回収システム１７３０は、もう一つのモジュールセクションとしても具体化でき、例えば、図８と図４１において点線で囲ったセクション３１０（すなわち、使用済みのガスを外気に放出したり、そのガスの所定の成分を回収したりする要素を含むセクション）に対応させることができる。
【０２１７】
上記三つのモジュール要素（ジェネレータ性ステム１７１０、アダプタ集成装置１７２０および回収システム１７３０）のそれぞれが、互いにあるいは他の組み合わせ可能なモジュール要素と連結可能な、取り離し可能な単一の構成要素である多くの構成部分をもつモジュール型集成装置が企図されていることは分るであろう。この目的のためには、各モジュール要素は、他のモジュール要素と容易に接続できるインタフェースあるいは接続部を備える。したがって、ジェネレータシステム１７１０は、アダプタ集成装置１７２０のインタフェースあるいは接続部１７１７と容易に接続できるインタフェースあるいは接続部１７１３を備える。同様に、アダプタ集成装置１７２０は、回収システム１７３０のインタフェースあるいは接続部１７２７と容易に接続できるインタフェースあるいは接続部１７２３を備える。最後に、アダプタ集成装置１７２０は、与えられた対象空間１８１０（すなわち微生物アイソレータあるいは他の閉鎖空間）のインタフェースあるいは接続部１８１３と容易に接続できるインタフェースあるいは接続部１７２５を備える。
【０２１８】
非限定的実施例としての図８に戻ると、接続部１７１３および１７１７のインタフェースは、例えば、バルブ２８２と交差管２８６との交差点の間に設ける。さらに、接続部１７２３と１７２７のインタフェースは、バルブ３０６と接合部３１４の間に設ける。また、非限定実施例としての図４６においては、接続部１７２５と１８１３のインタフェースは、接続部１４０５ａと１４０５ｂの位置にある。いずれにしても、図４７に示すモジュール要素と接続部を集成した装置は、適当と思われる形で構成することが可能な、広範な接続様式とモジュール型を企図したものである。
【０２１９】
図４７に示したモジュール型集成装置は、ガス（殺菌ガスや除染ガスなど）を発生させ、注入し、抜き出しそして回収する総合的なシステムを組み立てる上において種々のやりかたを可能にする点において、ジェネレータシステム１７１０、アダプタ集成装置１７２０および回収システム１７３０を具体化した広範な要素を互いに交換可能にするすぐれた可撓性と汎用性を有する。もちろん、このような広範な適用が可能かどうかは、実際のケースに則して考えなければならないが、汎用性の程度が従来より広いことは確かである。さらに、一個またはそれ以上のモジュール型セクションが修理あるいは取替が必要な場合には、本発明に係るモジュールシステムは、システムの一部だけを修理ないし取替えればよいとことから、その費用が安く済む。
【０２２０】
さらに、ジェネレータシステム１７１０、アダプタ集成装置１７２０および回収システム１７３０からなる総合的な集成装置は、与えられた対象空間１８１０と全体として組み合わせ可能なように構成される。
【０２２１】
さらに、本明細書で述べたモジュール型システムによれば、次のことも可能になる：一またはそれ以上のジェネレータシステム１７１０を回収システム１７３０なしで用いること；一またはそれ以上の回収システム１７３０をジェネレータシステム１７１０なしで用いること；およびジェネレータシステム１７１０も回収システム１７３０も用いないこと（ただ再循環のためにアダプタ集成装置１７２０を設ける）。
【０２２２】
本発明の好ましい形態によれば、システムのパラメータを測定するための装置（例えば図４１と４６で説明したガス濃度センサ１２１０／ｌ２１４、温度／湿度センサ１２１８および圧力センサ１５６０のようなもの）は、すべて、モジュール型システムにおけるアダプタ集成装置１７２０の中に収められる。このため、アダプタ集成装置１７２０が接続されるいかなる対象空間１８１０にとっても、与えられたモジュール型アダプタ集成装置１７２０は、そのような種々の装置を収める必要はないだろう。したがって、アダプタ集成装置１７２０中の要素は、広範な対象空間１８１０のいずれとも組み合わせて使用することができ、補助的な部材（接続するアダプタ−対象空間システムに補助的な備品として一時的に付け加えられる）や対象空間自体に部材を用いる必要はなくなり、コストを大幅に引き下げることができる。
【０２２３】
対象空間１８１０（アイソレータや他の閉鎖空間）に一またはそれ以上のブロアを取り付けるならば、本発明の態様においては、アダプタ集成装置１７２０の中にも一またはそれ以上のブロアを取り付けること（例えばブロア１２４０係る図４１に示した方法に似た方法によって）が考えられる。こうすると、対象空間との間での出し入れを含むシステム全体の中でのガスの流れは、そのような追加のブロアによって「増幅」される。同様に、図４７に示したモジュール型集成装置によれば、自身ではブロアを欠き、ガスの送給・再循環についてはアイソレータのブロアだけを利用するアダプタ集成装置１７２０も組み込むことができる。（このような変形例は、例えばガスの導入、抜き出しおよび再循環に大きな流量を必要としない小型の対象空間に適している。）
【０２２４】
そこで、図４８は、本発明において、図４７に示した原則に則って、カート（cart）集成装置を採用した形態を示す。このような構成においては、カート１６１０は、所定の対象空間に用いるため適当な構成にしたモジュールセクション１７１０，１７２０および１７３０を同時に保持することができる。さらに、使用するモジュールセクション１７１０，１７２０および１７３０用に構成した制御システム１６３０も、このカート１６１０の上に載せることができる。
【０２２５】
本発明の一形態によれば、殺菌装置は、図４８に模式的に示した要素を含む。すなわちフレーム１６１０、制御システム１６３０およびシステムケース１６４０である。
【０２２６】
本発明の好ましい形態によれば、上述のフレーム１６１０は、ホイール（車輪）１６１２付きカートとして具現される。このカートは、構造材フレームおよび殺菌装置の移動手段の両方の役割を果たす。
【０２２７】
図４８に符号１６３０であるいは図４６に符号１５１０で模式的に示したような本発明による制御装置は、覗き窓の付いた箱に入れることができる。そしてこの箱は、システムカートに取り付けることができる。
【０２２８】
最後に、ステンレス製のケース１６４０でシステムカートを覆い、ケースをカートの定位置に、ボルト締めあるいは他の方法で固定する。ケース１６４０は、システムを保護して外部からいじられるのを防止し、作業スペースを与えるように構成される。ケース１６４０はまた、システム内の消耗品を取り替えるときに外部と連絡するためのドアを具備する。
【０２２９】
オペレータとのインタフェース用に、９インチ×９インチのＬＣＤ（液晶ディスプレー）パネル１６５０やプリンタ１６５５などの適当な装置を用いることができる。これらの要素もまた、システムケース上に容易に取付けられるような構成とする。従来の方法だと、そのようなＬＣＤパネルは、オペレータが触るための高低差のあるタッチパネル含む。
【０２３０】
このＬＣＤパネルの外形として考えられるものを図４９と５０に示した。図にあるＬＣＤパネルは、置台１６４０、ＣＲＴモニタ１６６０、オペレータのキーパッド１６６５およびプリンタ１６５５を備える。
【０２３１】
図５１は、かなり大型の対象空間１８１０（例えば殺菌や除染を行うために設計したかなり大きな室、あるいは同じような目的で設計した、１８ホイールトラックに据えつける容器内の大型の運搬可能な室）に適当した変形例に係る集成装置を示す。この変更例においては、殺菌ガスあるいは除菌ガスを発生すべく構成したガス発生システム１７１０は、一般的な接続部１７１５を介して、第１のアダプタ集成装置１７２０ａにガスを送る。そして、第１のアダプタ集成装置は１７２０ａは、今度は、一般的な接続部１７７５ａを介して、対象空間１８１０にガスを送る。さらに、対象空間１８１０は、（一般的な接続部１７７５ｂを介して）第２のアダプタ集成装置１７２０ｂにガスを送り、この第２のアダプタ集成装置１７２０ｂは、今度は一般的な接続部１７２６を介して、ガス回収システム１７３０にガスを送る。
【０２３２】
したがって、図５１に示す形態においては、二つの離れて設置したアダプタ集成装置を用いる。この変更例においては、第１のアダプタ集成装置１７２０ａから対象空間１８１０へ、そしてさらに第２のアダプタ集成装置１７２０ｂへのガスの送給は、一方通行で行う（すなわち、対象空間１８１０に入る殺菌ガスあるいは除菌ガスは、その後すべて抜き出され、排気される）。もう一つの変更例においては、アダプタ集成装置１７２０ａ，１７２０ｂの一方あるいは両方ともが、対象空間１８１０に導入された殺菌ガスの再循環に係る。例えば、第１のアダプタ集成装置１７２０ａは、（図５１に示した図では、）対象空間１８１０の頂部左側に殺菌ガスを導入し、これを対象空間１８１０の底部左側から抜き取る。さらに、第２のアダプタ集成装置１７２０ｂは、対象空間１８１０の上方右側から殺菌ガスを抜き出し、これを再度その底部右側から対象空間１８１０に導入する。こうして、「８の字形」の連続再循環パターンが、対象空間１８１０に適用される。このため、かなり大型の対象空間１８１０においては、各アダプタ集成装置１７２０ａ，１７２０ｂは、それぞれがブロアを備える。
【０２３３】
図５１に示した変更例におけるすべての付随するモジュールセクション（１７１０，１７２０，１７２０ｂおよび１７３０）との通信を維持する制御システムのために、適当な遠隔通信手段（例えばラジオ、有線通信、「ethernet」）を用いる。
【０２３４】
本発明は、好ましい形態においては、広く、対象空間の少なくとも一部を除染するためのモジュールシステムを企図しており、このシステムは、以下の構成を要素を具備する：
除染ガスを対象に選択的に注入し、かつその対象にガスを戻して選択的に再循環させる集成装置を備える少なくとも一つのモジュールセクション（Ａ）；ならびに
除染ガスを発生させる集成装置を備える少なくとも一つのモジュールセクション（Ｂ）；および対象空間から除染ガスを選択的に抜き取る集成装置を備える少なくとも一つのモジュールセクション（Ｃ）の少なくとも一方。
【０２３５】
〔制御プログラム集成装置〕
さて次に、本発明の形態に係る制御プログラム装置の説明に移る。
【０２３６】
本発明においては、殺菌プロセスの各工程を正確に行うための自己評価型集成装置を企図する。すなわち、この装置においては、あらゆる機能とプロセス・工程を自己監視する。そして、フェイラ（failure;故障、異常）があれば直ちに警報を発し、適当な場合には、自動的な応答を引き出す。
【０２３７】
モジュールおよびテンプレートに基づいたソフトウエア構成技術により、プログラマーは、本発明の殺菌装置を新しい操作環境（すなわち、新しいアイソレータあるいは他の閉鎖空間）に導入すると同時に、独自の（すなわち特別にあつらえた）殺菌ルーチンを開始するようプログラムを組む。最後に、システムが実行されたときは、システムは、二つのレベルで自己評価をする。一つの目のレベルにおいては、システムとプロセスの操作を試験するため、ソフトウエアテンプレートの要素が、工程ごとにチェックリストを与える。さらに、各生産サイクルの工程は、ハードコードによる評価パラメータを含むため、指定された「評価」スイッチを導入すると、システムがプリセットあれ、次のサイクルのプロセス評価バージョンを実行する。
【０２３８】
本発明の好ましい形態によれば、ソフトウエアのテンプレートには、いくつかの特性があるため、以下にそれを概説する。
【０２３９】
制御装置（図４６に符号１５１０で示したようなもの）は、すべてのユーティリティーと装置を連続的に監視する。そして、何らかのフェイラ（failure)が検出された場合にはアラームを流し、次のプロセスが開始しないようにする。逆にアラームがないときは、次のプロセスを開始させる。
【０２４０】
すべての機能および工程は、機能または工程に適当とされる開始および実行が成功裡に行われるよう監視される。そして、フェイラが検出された場合には、適当なアラームを流し、工程あるいは機能を利用してそのフェイラを同定する。
【０２４１】
本発明に従って行われる殺菌手順においては、ただ一つの工程、とりわけ図４２〜図４５で説明した工程だけがいかなるときでも働く。さらに、もし何らかの時点で、所定の工程が働いていないと検出された場合、あるいは二つ以上の工程が同時に働いていると検出された場合には、制御装置がアボート（abort:中止）シーケンスに入り、制御状態に安全に復帰させる。
【０２４２】
本発明に係る殺菌プロセスの一部を含む工程のそれぞれが、それが働いている時間一定の程度まで制御されている限り、「プロセスの中止」は、何らかの工程が最大限可能な時間（例えば図４６に示すＣＰＵ１５２０のメモリの一部に格納されている）内に終了せず、オペレータに何らかの処置をするようアラーム（聴覚信号、視覚信号、印刷物等）を流す際になされる。
【０２４３】
そのようなアラーム状態にありながら、オペレータが所定時間内に何も処置を講じない場合には、制御装置が殺菌剤を、フェイラを起こした工程にとって適切なアボートシーケンスに入れ、制御状態に安全かつ確実に復帰させる。
【０２４４】
最後に、殺菌プロセスの何らかの段階で安全性が低下し、製品の統合性を脅かす事態（例えばアイソレータあるいは他の閉鎖空間で殺菌処理を行おうとうする製品の無菌あるいは物理特性が脅かされる事態）が発生したときには、プロセスは、その段階に適当な方法で停止する。
【０２４５】
工程は、次の二つの方法のうちの一つにより行われる：
−「シーケンシャル工程作動(Sequential Step Activation;ＳＳＡ）」は、所定の工程シーケンスにおいて、工程シーケンスの絶対的な制御を確実なものにする。現在流れている工程の終わりに開始することのできる唯一のプロセス工程は、次にプログラムされている工程である。予めプログラムされたアボート（停止）工程は、プロセスの必要あるいはオペレータの入力によって要求されたときは、いつでも作動できる。
【０２４６】
−「ランダム工程作動(Random Step Activation;ＲＳＡ) 」は、その一方で、オペレータが自由に工程シーケンスを定義することができるが、これは、特別の目的に応じた特別仕様の殺菌シーケンスである。この特別仕様のシーケンスは、順序数的な(ordinal) なプロセス工程（工程１〜工程ｎ）を、要求される工程の機能を同定する特定の工程コードに関連づけてつくる。プロセスあるいはタイミングの設定点は、要求のあった各工程に関連する。特別仕様のサイクルが実行に移されると、各工程が成功裡に終了する度に、工程番号は１からｎまで増加する。アボートのプロセスが要求された場合は、ＲＳＡシーケンスは不能になる。そして、予めプログラムされたアボート工程が作動し、プロセスはこの後安全な条件へと向かう。このＲＳＡ法は、プロセスの展開と試験には適している。この方法は、柔軟性と安全性を兼ね備えるが、自己評価生産システムにとっては適当ではない。
【０２４７】
本発明の一形態に係るプログラミング集成装置は、図５２ないし図５８を参照して説明する。図５２ないし図５８はそれぞれ、殺菌プロセスのすべての機能に用いられ、また必要に応じて複写や編集（すなわち特別につくる）ことが可能なプログラミングテンプレートを示す。図５２〜５８における例は、公知のラダーロジック(ladder logic)を使って示してある。しかし、ここで企図する方法や手プレートは、他の適当なプログラミング言語にも用いることができることは留意すべきである。図４１〜図４６も参照して、さらに説明を進める。
【０２４８】
第一に、殺菌プロセスにおける各工程（例えば循環フロー、殺菌ガスの噴射フロー等）は、一またはそれ以上の機能を備える。この機能は、例えば、ガスの噴射（すなわち図４１〜図４６におけるバルブ２８２などのバルブの開放）や真空の発生（アイソレータや他の閉鎖空間１３１０の内部を排気するための公知の真空ポンプや、図４６において符号１４１０で示すブロア装置で行うことができる）である。
【０２４９】
各工程は、適当なアクチュエータを作動させるか、あるいは工程に関連した機能を実行するため適当なアクチュエータを作動させる制御ループをも動かす。例えば、本発明の好ましい態様に係る「ガス噴射工程」は、ＣＰＵ１５２０に格納された制御ループを起動させ、バルブ制御装置１５３０を介して、バルブ２８２を開き、バルブ２９０を閉じ、そしてバルブ３０６を開ける。また、適当な制御装置も、ガスジェネレータ２７４を作動させる。
【０２５０】
さて、図５２をみると、一旦工程が開始されると、「ファンクション（機能）」テンプレートが、近い将来にあるファンクションをはっきりと定義するために働くことが分る。
【０２５１】
図５２の下段は、「ファンクション監視」スキームを示す。特に、あらゆるファンクションは、システムパラメータに最初の変更（イニシャルチェンジ）をもたらす。このイニシャルチェンジは、すでにファンクションが始めた関連する制御ループを促すために行われる。このとき、そのファンクションに関連するアラームは、予め設計したシステムパラメータに反するような時間まで、最初から発せられない。
【０２５２】
本発明の好ましい形態によれば、テンプレート装置は、各工程がその進行と完了を監視するように構成される。特に、工程が不適当な終わり方をしたり、システムのフェイラが起こった場合にそれを知らせる、プリセット時間に基づくアラームが設置される。一般に、工程にフェイラが発生すると、アラームが発せられ、その工程はその時点で停止し、オペレータが操作しない限り進まなくなる。もし所定の時間内にオペレータが操作しない場合には、予めプログラムされたアボートシーケンスが起動し、システムは制御状態に復帰する。
【０２５３】
「セットポイントで起動される（setpoint-driven)」工程は、所定のプロセスの目標が達せられるまで続く。この例は、所定の殺菌ガス濃度がセンサ１２１０，１２１４で検出されるまで継続する殺菌ガスの噴射である（図４３参照）。セットポイントとの単純な不釣り合いの場合は、そのセットポイントに一致するまで（すなわち、殺菌ガスの濃度など測定したパラメータの値が所定の濃度と等しくない場合には、その工程は継続して実行される）、工程に歯止めがかかる。図５７は、セットポイント工程のためのセットポイントの歯止めを示す。
【０２５４】
「時間で起動する（time-driven)」工程は、所定の時間だけ継続し、その時間が満了したときは停止する。本発明の形態によれば、工程のタイマーは、所定の工程パラメータが充足されないインターバルがあると、停止する。先ほどと同じように、時間の要件との単純な不一致の場合は、その時間の要件に一致するまで（すなわち、経過した時間が所定の時間と等しくない場合には、その工程は継続して実行される）、工程に歯止めがかかる。図５７は、時間に基づく工程についての時間に基づく歯止めの仕組みを示す。
【０２５５】
時々、セットポイントが満たされ、かつ所定の時間が満了するまで継続される、「複合」工程が必要になることもある。したがって、このような工程は、二つの歯止め、一つはセットポイント用の歯止めで、もう一つは時間用の歯止めを備える。
【０２５６】
図５３（ａ）〜図５３（ｃ）は、本発明の一態様において、対応するアラームを促すべく用いられる種々の工程時間のプリセットを示す。
【０２５７】
図５３（ａ）は、工程が所定の下限境界値より短い時間で終了したとき、「最小時間」アラームの作動を促す「最小時間」タイマーのプリセットを示す。
【０２５８】
図５３（ｂ）は、工程が所定の最大時間制限を超えて継続しているとき、「最大時間」アラームの作動を促す「最大時間」タイマーのプリセットを示す。
【０２５９】
図５３（ｃ）は、工程が所定の最大時間制限を超えて継続し、かつアラームが所定時間作動（すなわち所定時間「アラーム」状態にある）してもオペレータが何らの処置も施さないとき、工程、あるいはさらに殺菌プロセス全体を停止させる「工程フェイラ」タイマーのプリセットを示す。
【０２６０】
図５４（ａ）〜（ｃ）は、図５３（ａ）〜（ｃ）に示したプリセットを実際に採用したアラームを示す。
【０２６１】
二つの工程タイマーは、工程の実行を監視するために用いられ、新しい工程が開始したときにリセットされる。例えば、図５５には、工程中に経過した時間を記録しておく「工程中の時間（time in step）」タイマーが示してある。他方、図５６には、工程パラメータの要件が充足されている間、累積時間を記録しておく「良好時間（time made good）」タイマーが示してある。この「良好時間」タイマーは、プロセスの説明で定義した工程の所要時間に合わせるための基準となる。
【０２６２】
図５７には、先のシーケンシャル工程起動（ＳＳＡ）あるいはランダム工程起動（ＲＳＡ）のいずれかを選択できる工程制御スキームが示してある。
【０２６３】
ＳＳＡを選択した場合は、工程Ｘは、工程Ｘ−１が完了したときに作動する。この方法の場合は、前の工程が完了したとき、二つの工程のうちただ一つだけが競合的に作動する。正常な工程（図５７参照）は、前の工程がアボート条件なしに正常に完結したときに作動する。アボート工程（図５８参照）は、現在の工程はアボート条件の下に終了したときに作動する。
【０２６４】
ＲＳＡを選択したときは、オペレータの選択したコードが正しい場合に、工程Ｘが作動する。このコードは、以下の方法の一つによって行われるシーケンスの一つである。他の方法も使用できるが、上述の方法が最も一般的である。
１．マニュアルシーケンス：オペレータが、現に進行中の工程に対して、コードとセットポイントを入力する。
２．テナードラム：予め構成したコードとセットポイントのシーケンスが、プロセスの工程の完了によって駆動される。
３．セットポイントプログラミング（ＳＰＰ）：時間とプロセスによって駆動される数値コードと対応するセットポイントのシーケンスを与えるハネウェル制御ソフトウエアシステムのプログラミングツールである。
【０２６５】
図５７に示すように、プログラミングを簡単にするため、ＲＳＡはプログラムするが、ＳＳＡは明示的には定義していない。ＲＳＡが動作していない（フォールス）とき、ＳＳＡがデフォルトにより作動する。
【０２６６】
図５７と５８に示した工程テンプレートに従った工程の完結が企図されている。
【０２６７】
プロセスの工程が目標とするセットポイントに一致するか、または工程時間が満了すると、工程は正常に終了する。テンプレートは、「工程時間（STEP TIME）」と「工程のセットポイント（STEP SETPOINT)」の両方が満たされたときに歯止め（ラッチ）がかけられることを示している。どちらの要件も、ある工程にとって適当なときにはラッチを解除できるようにしなければならない。ほとんどの工程においては、ただ一本の枝だけが使用される。プロセス工程の枝分れは、「バリデート（評価）」フラッグがないときに行われ、プロセスのセットポイントと値が十分に実効があることに留意されたい。
【０２６８】
他方、オペレータによって「バリデート（VALIDATE）」フラッグが立てられたときは、正常な「工程時間」と「工程のセットポイント」の分枝は作動しなくなり、「バリデート時間（VALIDATE TIME)」と「バリデートのセットポイント（VALIDATE SETPOINT)」の分枝は作動する。工程は、正常な工程の完了のところで説明したように、実行され、また終了するが、バリデート時間とセットポイントの値は有効である。
【０２６９】
オペレータのコマンド（優先コマンド）が発せられると同時に、一つの機械サイクルに対して、「強制工程フラッグ（FORCE STEP FLAG)」が作動する。このフラッグは、工程時間やプロセス条件にかかわりなく、現に進行中の工程を終了させる。そして、続く工程が正常に始まる。テンプレートは、「強制工程（FORCE STEP）」が「真」のときは、工程は歯止めされないことを示している。歯止めが破られると、工程は終了する。バリデートプロセスにおいては、ある工程を強制するのは、プロセスの逸脱を意味し、そのプロセスにとって適当な手順によって処理されなければならない。
【０２７０】
オペレータがコマンドを発すると同時に、あるいはプロセスの安全あるいは製品の完全性の要求に応じて、「アボートフラッグ（ABORT FLAG）」が「真」と設定される。図５７と５８における工程テンプレートは、いかなる工程も、「アボート（ABORT)」が「真」の場合は、作動中は歯止めされず、また作動していないときは停止させられることを示している。これは、予めプログラムしたアボートシーケンスを開始させる。そして現に進行している工程は、直ちに停止する。アボートプロセスにおけるいかなる工程にとっても、システムが安全条件に復帰するアボートシーケンスの終わりにおいては、可能な次の工程はただ一つだけである。アボート工程のテンプレートは、図５８に示してある。アボートフラッグがアボートを開始させ、またＲＳＡフラッグを「オフ」に変えることに留意されたい。アボートシーケンスは、アボートすることができない特別のＳＳＡシーケンスである。
【０２７１】
一セットのタイマーがすべてのステップに働くことは分るであろう。ある工程が始まると、新しい工程とタイマーのリスタートによって、タイマーのプリセットがリセットされる。
【０２７２】
これまでに説明したシーケンスがオペレータによるマニュアル作動で開始されるものならば、本発明によるプロセスは、そのようなシーケンスを自動的なものにできる。さらに、自動シーケンスの場合は、本発明によるプロセスは、そのシーケンスあるいはプロセスにおける何らかの個別の工程が所定の「フェイラ」を起こした際は、アボートされることを可能にする。
【０２７３】
本発明による殺菌装置が広範な閉鎖空間に容易に取付け可能なものになることを企図しているならば、本発明によるプロセスは、プロセスシーケンスのいくらか標準化するものであることは理解されるであろう。換言すれば、本発明によるテンプレートプログラミングソフトウエアは、広範な殺菌装置とプロセスに共通と考えられる基本的なフレームワーク（枠組み）を与えるものである。しかし、この枠組みは、手元の状況の必要に応じて、修正したり構築したりできる。
【０２７４】
例えば、まだ違反していない殺菌装置とプロセス用のパラメータの範囲をオペレータがプリセットする制御装置を与えることができる。この装置は、もし侵された場合には、上述したアラームやアボートを発する。
【０２７５】
また、非常に広範な殺菌装置とプロセスに共通な範囲に入るであろうパラメータが存在することも分るであろう。この場合、そのようなパラメータは、問題の制御装置用に予めプログラムしておくことができる。
【０２７６】
本発明の「自己評価」にかかる様相は、公知の集成装置と比較すると、独特の利点を有する。特に、公知の評価ソフトウエアは、多くが、殺菌あるいは除菌を行うソフトウエアとは無縁のものが多い。しかし、本発明の好ましい態様によれば、「自己評価」型の集成装置は、評価を実行させるために、例えば図５７に示すテンプレートが評価の実行を促すフラッグによってのみ変更される点において、殺菌／除菌を行うまさに同一の集成装置の一部を構成する。これは、例えば、オペレータが単にボタンを押したり、他の何らかの刺激を与えるだけで達成される。
【０２７７】
ここで説明したテンプレート集成装置は、殺菌操作において、少なくとも二つの工程を、所定のあるいは予め定めることができるシーケンスに従って自動的に行えるようにすることができる。本発明の好ましい態様によれば、「予め定めることができる」シーケンスとは、「アドホック（AD-HOC:特別）」シーケンスのことと考えられる。
【０２７８】
本明細書でシステムが「決定的な」ということは、システムが、自身を監視し、またシーケンス工程を適切に実行しているかを決定できることを意味する。
【０２７９】
〔フローに基づくガス送給アルゴリズム〕
次に、本発明の好ましい態様に従って用いられる、フロー（流れ）に基づくガス送給アルゴリズムについて説明する。このアルゴリズムは、図４１〜４６を参照すると一番よく理解できる。
【０２８０】
一般に、近くの雰囲気のセットポイントにおける圧力を維持しながら活性なガス成分について所望の濃度を得るために行う、フローに基づくガス送給とは、次の事項の組み合わせである：
・循環値に基づいてガスを添加すること；および
・フィードバック制御に応答してガスを添加すること。
【０２８１】
このシステムは、図４６に示した圧力センサ１５６０および制御装置１５１０に加えて、図４３にある矢印で示したループからなる
【０２８２】
フローに基づくガス送給が開始されると、ガスバルブ２８２が開く。そして、活性ガスが、ガスジェネレータ２７４から、バルブ２８２を通して入ってくる。一方、バルブ３０６からは排気が行われる。最初のガス送給は、以下に定義する「Ｔ」時間だけ行われる：
Ｔ＝（ＶＣ／ＦＲ）Ｋ
ここで、Ｖ＝殺菌する容器の有効容積（立方フィート）
Ｃ＝殺菌ガスの濃度（mg／l)
Ｆ＝導入したガスのバルブ２８２における濃度（mg／l)
Ｒ＝導入したガスのバルブ２８２における流量（ft3/min)
Ｔ＝送給時間（分）
Ｋ＝チャンバ容積の修正％または非占有空間の％
【０２８３】
最初の送給の後は、アイソレータや閉鎖空間１３１０にある循環装置が、活性がガスを均一に放散させるために作動する。濃度センサ１２１４からの制御信号が、濃度が数量Ｃ未満であること知らせた場合は、バルブ２７０と２８２が追加のガスを導入すべく開放する。
【０２８４】
「ガス噴射」位相（図４１に示した）の間は、バルブ３０６は過剰な圧力を外に逃がすように開放することができる。同様に、圧力モニタ１５６０（あるいは他の圧力監視装置）からの信号が、圧力がセットポイント（設定点）に達したかまたはこれを超えたと知らせた場合は、バルブ３０６が容器（アイソレータ１３１０など）内の圧力を維持するために開かれる。そして、数量Ｃの濃度が得られたときは、図４４に示す「暴露」位相に移行する。
【０２８５】
したがって、所定容積のガスを漏洩のない容器に導入する方法が企図されているため、システムは、活性なガスを容器に供給し、また圧力と濃度を位置することが要求されるときにはガスを除去するのにバルブを使う。ＣＰＵ１５２０を含む制御装置１５１０は、所定の指示シーケンスの実行を制御する。この方法は、内部圧力（すなわち、大気圧、真空あるいは正圧）にかかわらず、あらゆる型のアイソレータに適用することができる。
【０２８６】
したがって、本発明によるフローに基づくガス送給によれば、圧力に基づく殺菌システムの問題点が除去され、どのような閉鎖空間でもガスで殺菌することができる。小型の感圧微生物アイソレータは、損傷することなく殺菌／除染される。そして、これは、大型の工業用室や容器においても行うことができる。さらに、どのような場合でも、殺菌する空間を排気したり、他の操作を加えたりする必要がない。そして、公知の濃度の殺菌ガスを公知の流量において一定時間流すと、送給される殺菌ガスが直接循環する。さらに、濃度は、センサ（例えば図４６で符号１２１４で示したもの）によって監視され、またコンピュータによってフィードバック制御される。このため、圧力に基づくシステムに共通の間接循環は行わなくてすむ。
【０２８７】
本明細書では、特に断らない限り、すべての要素および／またはプロセスは、適当な場合、明細書の他の箇所で述べた類似の要素および／またはプロセスと相互に交換可能である。
【０２８８】
本発明の装置および方法は、その適用に適した形に構成される。これまでに述べた態様は、すべて例示的なもので、限定的なものではないと考えられたい。本発明の範囲は、上述の明細書本文の記載よりも、特許請求の範囲によって定義される。そして特許請求の範囲と等価のあらゆる変更は、本発明の範囲に包含される。
【０２８９】
本発明の具体的な実施態様は以下の通りである。
（Ａ）対象の少なくとも一部を除染するためのシステムであって、  前記システムは、除染ガスを発生する手段と、前記対象に前記除染ガスを注入する手段と、前記除染ガスを循環する手段と、前記除染ガスを抜き取る手段とを備えており、
前記抜き取る手段は、前記対象に注入された除染ガスを受け入れる手段と、前記受け入れる手段によって受け入れられた除染ガスから少なくとも一種の成分を回収する手段であって、該回収する手段は受け入れられた除染ガスと相互作用する媒体を導入し少なくとも一種の所定成分の前記除染ガスからの回収を促進する手段を備えることと、選択的に取り外しが可能であり、相互作用した媒体の所定量を保持する手段とを備えたシステム。
（１）前記保持する手段はある量の相互作用する媒体を含む他の保持する手段と互いに交換できる前記実施態様（Ａ）記載のシステム。
（２）前記回収する手段は、前記保持する手段からの相互作用する媒体の部分を抜き取る手段と、前記部分を抜き取る手段に対して前記保持する手段を選択的に分離する手段であって、前記保持する手段の選択的な取り外しと、前記保持する手段とある量の相互作用する媒体を含む他の保持する手段との相互交換を容易にする分離する手段とをさらに備える上記実施態様（１）記載のシステム。
（３）前記保持する手段は、前記システムの残部から離れて配置される上記実施態様（２）記載のシステム。
（４）前記回収する手段は、前記保持する手段と前記システムとを流動的に接続する手段であって、前記保持する手段中へ受け入れられた除染ガスと相互作用した相互作用する媒体の部分を再循環する手段と、前記流動的に接続する手段に対して前記保持する手段を選択的に分離する手段であって、前記保持する手段の選択的な取り外しと、前記保持する手段とある量の相互作用する媒体との相互交換をさらに容易にする手段とをさらに備えた上記実施態様（３）記載のシステム。
【０２９０】
（５）前記回収する手段はさらにタンクを備えており、該タンクは内部に配置されたパッキング材料を備え、該パッキング材料は前記維持する手段から抜き取られた相互作用する媒体を表現し、かような相互作用する媒体と前記受け取られた除染ガスとの相互作用を容易にする少なくとも１つの表面を有する実施態様（４）記載のシステム。
（６）前記パッキング材料は複数のパッキング材料を備えており、該複数のパッキング材料のそれぞれは前記維持する手段から抜き取られた前記相互作用する媒体を表現し、前記相互作用する媒体と前記受け取った除染ガスとの相互作用を容易にする少なくとも１つの表面を有する実施態様（５）記載のシステム。
（７）前記除染ガスが二酸化塩素であり、前記相互作用する媒体は二酸化塩素を塩化物と亜塩素酸塩のうち少なくとも一方への変換を促進できる流動性の溶液である実施態様（５）記載のシステム。
（８）前記システムは、受け入れた除染ガスの流れと前記相互作用する媒体との相互作用を促進するタンク手段をさらに備え、前記タンク手段もまた取り外しできる前記維持する手段として働く実施態様（２）のシステム。
【０２９１】
（９）前記タンク手段はその内部に配置されたパッキング材料をさらに備え、該パッキング材料は前記保持する手段から抜き取られた相互作用する媒体を表現し、前記相互作用する媒体と前記受け入れられた除染ガスとの相互作用を容易にする少なくとも１つの表面を有する実施態様（８）記載のシステム。
（１０）前記パッキング材料は複数のパッキング材料を備えており、該複数のパッキング材料のそれぞれは前記保持する手段から抜き取られた前記相互作用する媒体を表現し、前記相互作用する媒体と前記受け入れられた除染ガスとの相互作用を容易にする少なくとも１つの表面を有する実施態様（９）記載のシステム。
（１１）前記除染ガスが二酸化塩素であり、前記相互作用する媒体は二酸化塩素を塩化物と亜塩素酸塩のうち少なくとも一方への変換を促進できる流動性の溶液である実施態様（１０）記載のシステム。
（Ｂ）ガスに曝されている対象の少なくとも一部分からガスを抜き取るための装置であって、前記装置は、前記対象に注入されたガスを受け入れる手段と、前記受け入れる手段によって受け入れられたガスから少なくとも一種の成分を回収する手段であって、該回収する手段が前記受け入れられたガスと相互作用する媒体を導入し少なくとも一種の所定の成分の前記除染ガスからの回収を促進することと、選択的に取り外しが可能であり、相互作用した媒体の所定量を保持する手段とを備えた装置。
（１２）前記保持する手段は、前記相互作用する媒体の有る量を含む他の保持する手段と相互に交換できる前記実施態様（Ｂ）記載の装置。
【０２９２】
（１３）前記回収する手段は、前記維持する手段からの前記相互作用する媒体の部分を抜き出す手段と、前記部分を抜き出す手段に対して前記維持手段を選択的に分離する手段であって、前記維持する手段の選択的な取り外しと、前記維持する手段とある量の相互作用する媒体を含む他の維持する手段との相互交換を容易にする分離する手段とをさらに備える上記実施態様（１２）記載の装置。
（１４）前記維持する手段は、前記装置の残部から離れて配置される上記実施態様（１３）記載の装置。
（１５）前記回収する手段は、前記維持する手段と前記システムとを流動的に接続する手段であって、前記維持する手段の中へ受け取られた除染ガスと相互作用をした相互作用する媒体の部分を再循環する手段と、前記流動的に接続する手段に対して前記維持する手段を選択的に分離する手段であって、前記維持する手段の選択的な取り外しと、前記維持する手段とある量の相互作用する媒体を含む他の維持する手段との相互交換をさらに容易にする手段とをさらに備えた上記実施態様（１４）記載の装置。
（１６）前記回収する手段はさらにタンクを備えており、該タンクはその内部に配置されたパッキング材料を備え、該パッキング材料は前記維持する手段から抜き取られた相互作用する媒体を表現し、かような相互作用する媒体と前記受け取られた除染ガスとの相互作用を容易にする少なくとも１つの表面を有する実施態様（１５）記載の装置。
【０２９３】
（１７）前記パッキング材料は複数のパッキング材料を備えており、該複数のパッキング材料のそれぞれは前記維持する手段から抜き取られた前記相互作用をする媒体を表現し、かような相互作用する媒体と前記受け取った除染ガスとの相互作用を容易にする少なくとも１つの表面を有する実施態様（１６）記載の装置。
（１８）前記除染ガスが二酸化塩素であり、前記相互作用する媒体は二酸化塩素を塩化物と亜塩素酸塩のうち少なくとも一方への変換を促進できる流動性の溶液である実施態様（１７）記載の装置。
（１９）前記装置は、受け入れられた除染ガスの流れと前記相互作用する媒体との相互作用を促進するタンク手段をさらに備え、前記タンク手段もまた取り外しできる前記維持する手段として働く実施態様（１３）の装置。
（２０）前記回収する手段はさらにタンクを備えており、該タンクは内部に配置されたパッキング材料を備え、該パッキング材料は前記維持する手段から抜き取られた相互作用する媒体を表現し、かような相互作用する媒体と前記受け入れられた除染ガスとの相互作用を容易にする少なくとも１つの表面を有する実施態様（１９）記載の装置。
【０２９４】
（２１）前記パッキング材料は複数のパッキング材料を備えており、該複数のパッキング材料のそれぞれは前記保持する手段から抜き取られた前記相互作用する媒体を表現し、前記相互作用する媒体と前記受け取った除染ガスとの相互作用を容易にする少なくとも１つの表面を有する実施態様（２０）記載の装置。
（２２）前記除染ガスが二酸化塩素であり、前記相互作用する媒体は二酸化塩素を塩化物と亜塩素酸塩のうち少なくとも一方への変換を促進できる流動性の溶液である実施態様（２１）記載の装置。
（Ｃ）対象空間の一部分を少なくとも除染する方法であって、前記方法は、除染ガスを与える工程と、前記対象空間からガスの永久的抜き取りを選択的に許可する工程と、除染ガスを対象空間に再循環を選択的に開始する工程とを備えた方法。
（２３）ねじれた表面材料上にわたってガスを通過させる工程と、必要とする相互作用する媒体の空間を最小限にするために、前記ねじれた表面材料と相互作用する媒体と同時に接触する工程とをさらに備えた実施態様（Ｃ）記載の方法。
【０２９５】
【発明の効果】
以上説明したように、本発明によれば、微生物アイソレータの内部空間のような閉鎖空間を殺菌および／または除染する殺菌ガスを発生、注入、抜き出し、そして回収するための装置および方法、ならびにこれらの装置および方法に関連する要素が提供される。
【図面の簡単な説明】
【図１】従来の殺菌装置とこの装置にインタフェースで接する閉鎖空間の模式配置図である。
【図２】図１とほぼ同じであるが、殺菌装置と閉鎖空間の間の接続を示す配置配置図である。
【図３】従来の隔離器とその関連要素を示す模式配置図である。
【図４】ガス殺菌が可能なように変更した仕様の隔離器を示す模式配置図である。
【図５】本発明の各態様で採用される代替的な隔離集成装置を示す図である。
【図６】本発明の各態様で採用するガス発生・回収システムを模式的に示した斜視図である。
【図７】モジュール型の互換性、選択統合式セクションの概念を示す模式図である。
【図８】図６とほぼ同じであるが、さらに三つのセクションを加えたシステムを模式的に示した斜視図である。
【図９】図８とほぼ同じであるが、圧力と湿度の感知について異なる集成装置を模式的に示した斜視図である。
【図１０】本発明で採用するガス回収システムを示す模式図である。
【図１１】図１０の態様に基づく他のガス回収システムを示す模式図である。
【図１２】本発明の好ましい態様に基づく他のガス回収システムを示す模式図である。
【図１３】本発明に係るガス回収システム内に設けられる充填カラムの拡大図である。
【図１４】他のガス測定システムを示す軸方向断面図である。
【図１５】さらに他のガス測定システムを示す軸方向断面図である。
【図１６】本発明の一形態に係るバルブ本体の一般的な構成を示す斜視図である。
【図１７】図１６のバルブ本体とともに用いられる被駆動要素を示す模式図である。
【図１８】本発明の一形態に係るバルブ一式の側面図である。
【図１９】図１８に示したコイルの違う方向から見た図である。
【図２０】図１８のバルブが開位置にあるときの平面図である。
【図２１】図１８のバルブが開位置にあるときの側面図である。
【図２２】図１８のバルブが閉位置にあるときの平面図である。
【図２３】図１８のバルブが閉位置にあるときの側面図である。
【図２４】空気圧式に変形した構成を有するバルブ本体を示す図である。
【図２５】図２４に示したバルブ本体とともに用いられる被駆動要素を示す図である。
【図２６】図２４と図２５に示した本発明の変形例に係るバルブ一式の側面図である。
【図２７】図２６のバルブが開位置にあるときの平面図である。
【図２８】図２６のバルブが開位置にあるときの側面図である。
【図２９】図２６のバルブが閉位置にあるときの平面図である。
【図３０】図２６のバルブが閉位置にあるときの側面図である。
【図３１】バルブハウジングが円筒形の変形例を示す図である。
【図３２】図３１に示したバルブが閉位置にある状態を示す図である。
【図３３】図３１に示したバルブが開位置にある状態を示す図である。
【図３４】単シャトルバルブ装置の第一の状態を示す図である。
【図３５】図３４の単シャトルバルブ装置の第二の状態を示す図である。
【図３６】図３４と図３５に示したシャトルバルブ装置に用いるシャトルの斜視図である。
【図３７】バルブ−ブロア集成装置の「収縮」配置を示す図である。
【図３８】図３７のバルブ−ブロア集成装置の「循環」配置を示す図である。
【図３９】図３７と図３４に示したバルブ−ブロア集成装置を採用することが可能な操作環境の模式図である。
【図４０】図３９の操作環境を他の方向から見た図である。
【図４１】本発明の各態様で用いる殺菌／除染装置を示す図である。
【図４２】図４１に示したシステムの操作が「循環」モードにあるときのシステム模式図である。
【図４３】図４１に示したシステムの操作が「ガス噴射」モードにあるときのシステム模式図である。
【図４４】図４１に示したシステムの操作が「暴露」モードにあるときのシステム模式図である。
【図４５】図４１に示したシステムの操作が「空気噴出」モードにあるときのシステム模式図である。
【図４６】図４１とほぼ同じであるが、さらに制御集成装置を示す図である。
【図４７】本発明の少なくとも一つの態様に係るモジュール型、互換性で選択統合式セクションの概念を模式的に示した図である。
【図４８】図４７の原理に則った部品の集成を示す図である。
【図４９】本発明に係る部品集成装置の考えられる外観を示す図である。
【図５０】図４９に示した集成装置の他の方向からみた外観図である。
【図５１】モジュール型、互換性で選択統合式セクションのもう一つの概念を模式的に示した図である。
【図５２】ラダー（はしご）ロジックによる「機能」プラグラミングのテンプレート（型板）を示す図である。
【図５３】図５３（ａ）〜（ｃ）はラダーロジックにおける種々の「ステップ時間」のプリセットを示す図である。
【図５４】図５４（ａ）〜（ｃ）は、ラダーロジックにおいて図５３（ａ）〜（ｃ）に示したプリセットを採用したアラームを示す図である。
【図５５】ラダーロジックにおいて「ステップ時間式」タイマーを示す図である。
【図５６】ラダーロジックにおいて「時間良好」タイマーを示す図である。
【図５７】ラダーロジックにおけるステップ制御スキームである。
【図５８】ラダーロジックにおける「失敗ステップ」制御スキームである。
【図１】
0004334631.tif 000002
【図２】
0004334631.tif 000003
【図３】
0004334631.tif 000004
【図４】
0004334631.tif 000005
【図５】
0004334631.tif 000006
【図６】
0004334631.tif 000007
【図７】
0004334631.tif 000008
【図８】
0004334631.tif 000009
【図９】
0004334631.tif 000010
【図１０】
0004334631.tif 000011
【図１１】
0004334631.tif 000012
【図１２】
0004334631.tif 000013
【図１３】
0004334631.tif 000014
【図１４】
0004334631.tif 000015
【図１５】
0004334631.tif 000016
【図１６】
0004334631.tif 000017
【図１７】
0004334631.tif 000018
【図１８】
0004334631.tif 000019
【図１９】
0004334631.tif 000020
【図２０】
0004334631.tif 000021
【図２１】
0004334631.tif 000022
【図２２】
0004334631.tif 000023
【図２３】
0004334631.tif 000024
【図２４】
0004334631.tif 000025
【図２５】
0004334631.tif 000026
【図２６】
0004334631.tif 000027
【図２７】
0004334631.tif 000028
【図２８】
0004334631.tif 000029
【図２９】
0004334631.tif 000030
【図３０】
0004334631.tif 000031
【図３１】
0004334631.tif 000032
【図３２】
0004334631.tif 000033
【図３３】
0004334631.tif 000034
【図３４】
0004334631.tif 000035
【図３５】
0004334631.tif 000036
【図３６】
0004334631.tif 000037
【図３７】
0004334631.tif 000038
【図３８】
0004334631.tif 000039
【図３９】
0004334631.tif 000040
【図４０】
0004334631.tif 000041
【図４１】
0004334631.tif 000042
【図４２】
0004334631.tif 000043
【図４３】
0004334631.tif 000044
【図４４】
0004334631.tif 000045
【図４５】
0004334631.tif 000046
【図４６】
0004334631.tif 000047
【図４７】
0004334631.tif 000048
【図４８】
0004334631.tif 000049
【図４９】
0004334631.tif 000050
【図５０】
0004334631.tif 000051
【図５１】
0004334631.tif 000052
【図５２】
0004334631.tif 000053
【図５３】
0004334631.tif 000054
【図５４】
0004334631.tif 000055
【図５５】
0004334631.tif 000056
【図５６】
0004334631.tif 000057
【図５７】
0004334631.tif 000058
【図５８】
0004334631.tif 000059